(57)【要約】【課題】排水口を閉止した状態の排水弁体にフロートの浮力が作用して排水弁体の閉止力を低下させることを効果的に防ぐことができる洗浄水タンク装置を提供する。【解決手段】本発明の洗浄水タンク装置１８は、貯水タンク２２の排水口２２ａを開閉して水洗大便器１への洗浄水の供給を行う排水弁装置２８を有し、この排水弁装置は、排水口を取り囲むように貯水タンクの底面から鉛直方向上方に延びる筒体７２と、この筒体の内方に配置された制御筒４６と、この制御筒内に配置されるフロート７４と、このフロートの下降に連動して下降して排水口を閉止するように構成された排水弁体６８と、この排水弁体が排水口を閉止している状態でフロートの浮力が排水弁体に作用して排水弁体の閉止力を低下させないようにフロートを制御筒に係止し、排水弁体が開弁すると制御筒に対するフロートの係止を解除する係止／係止解除機構部８２と、を備えている。【選択図】図６
2017044058.tif 000002
【特許請求の範囲】
【請求項１】
水洗大便器を洗浄する洗浄水を貯水する洗浄水タンク装置であって、
洗浄水が貯水され、底面に排水口が形成された貯水タンクと、
上記排水口を開閉して水洗大便器への洗浄水の供給を行う排水弁装置部と、を有し、
この排水弁装置部は、上記排水口を取り囲むように上記貯水タンクの底面から鉛直方向上方に延びる筒体と、この筒体の内方に配置された制御筒と、この制御筒内に配置されるフロートと、このフロートの下降に連動して下降して上記排水口を閉止するように構成された排水弁体と、この排水弁体が上記排水口を閉止している状態で上記フロートの浮力が上記排水弁体に作用して上記排水弁体の閉止力を低下させないように上記フロートを上記制御筒に係止し、上記排水弁体が開弁すると上記制御筒に対する上記フロートの係止を解除する係止／係止解除機構部と、を備えていることを特徴とする洗浄水タンク装置。
【請求項２】
上記係止／係止解除機構部は、上記フロートが上記排水弁体に干渉しないように上記制御筒の一部に設けられている請求項１記載の洗浄水タンク装置。
【請求項３】
上記係止／係止解除機構部は、上記フロートが上記排水弁体に干渉しないように上記フロートの一部に設けられている請求項１記載の洗浄水タンク装置。
【請求項４】
上記制御筒は、洗浄水が貯水されて上記フロートが配置される貯水部を備え、この貯水部の底面には、上記排水弁体が閉止状態であるときに上記フロートが上記貯水部の底面まで下降可能に上記貯水部内の洗浄水を排水するため排水手段が設けられている請求項１乃至３の何れか１項に記載の洗浄水タンク装置。
【請求項５】
上記排水手段は、上記制御筒の貯水部の底面を貫くように形成された貫通穴部と、この貫通穴部に開閉可能に設けられて上記フロートが上記貯水部の底面付近まで下降した際に上記貫通穴部を開放する開閉弁と、を備えている請求項４記載の洗浄水タンク装置。
【請求項６】
上記排水弁装置部は、更に、上記排水弁体から上方に延びて上記制御筒に対して上下方向に摺動可能な摺動部材を備え、この摺動部材は、その周面から外側に突出して軸方向に延びるように形成された突出部を備え、
上記係止／係止解除機構部は、上記制御筒又は上記フロートに回動可能に設けられたカム部材を備え、このカム部材は、上記排水弁体が上記排水口を閉止している状態では第１回動方向に回動して上記フロートを上記制御筒に係止し、上記排水弁体が開弁すると上記摺動部材の突出部に係合することにより上記第１回動方向とは反対の第２回動方向に回動して上記制御筒と上記フロートとの係止を解除し、その後、上記フロート及び上記排水弁体が上記貯水タンク内の水位の低下と共に下降して上記排水弁体が閉弁すると、上記第１回動方向に回動して上記フロートを再び上記制御筒に係止するものである請求項１乃至５の何れか１項に記載の洗浄水タンク装置。
【請求項７】
上記係止／係止解除機構部は、更に、上記カム部材を上記第１回動方向に付勢する付勢手段を備えている請求項６記載の洗浄水タンク装置。
【請求項８】
上記排水弁装置部は、更に、上記排水弁体から上方に延びて上記制御筒に対して上下方向に摺動可能な摺動部材を備え、
上記係止／係止解除機構部は、上記制御筒に回動可能に設けられて一端が上記摺動部材に係合／係合解除可能であると共に他端が上記フロートに係止／係止解除可能なカム部材と、このカム部材を所定の回動方向に付勢する付勢部材と、を備え、
上記係止／係止解除機構部には、上記制御筒に対する上記フロートの係止が解除されている状態で上下方向に摺動している上記摺動部材と上記カム部材との係合を解除して非接触状態を維持する非接触状態維持手段が設けられている請求項１乃至５の何れか１項に記載の洗浄水タンク装置。
【請求項９】
上記非接触状態維持手段は、上記摺動部材の周面に形成された突起部、上記制御筒に設けられて互いに同一の回動軸線を中心に回動可能である第１カム部材及び第２カム部材からなる上記カム部材、並びに、上記第１カム部材及び上記第２カム部材を互いに連結する上記付勢部材からなり、
上記第１カム部材は、上記摺動部材の突起部に係合／係合解除可能な第１係合部と、上記第２カム部材に係合／係合解除可能である第２係合部と、を備え、
上記第２カム部材は、上記第１カム部材の第２係合部に係合／係合解除可能である第３係合部と、上記フロートに係止／係止解除可能である第４係合部と、を備え、
上記排水弁体が上記排水口を閉止している状態では、上記付勢部材により上記第１カム部材が第２回動方向に付勢されると共に上記第２カム部材が上記第２回動方向とは反対の第１回動方向に付勢されて、上記第１カム部材の第１係合部と上記摺動部材の突起部との係合が解除されると共に上記第２カム部材の第４係合部と上記フロートとが係止された上記係止／係止解除機構部の第１状態にあり、
この第１状態後、上記摺動部材が上昇して上記排水弁体が開弁する状態では、上記摺動部材の突起部が上記第１カム部材の第１係合部に係合して上記第１カム部材及び上記第２カム部材が上記第２回動方向に連結して回動することにより、上記第２カム部材の第４係合部と上記フロートとの係止が解除された上記係止／係止解除機構部の第２状態にあり、
この第２状態後、さらに、上記摺動部材及び上記フロートが上昇した状態では、上記第１カム部材及び上記第２カム部材は、上記付勢部材の付勢力により復元されて上記第１状態と同一である上記係止／係止解除機構部の第３状態にあり、
この第３状態後、上記フロート及び上記排水弁体が上記貯水タンク内の水位の低下と共に下降して上記排水弁体が閉弁する前の状態では、上記摺動部材の突起部が上記第１カム部材の第１係合部に係合して上記第１カム部材のみが上記第２カム部材に対して独立に上記第１回動方向に回動した上記係止／係止解除機構部の第４状態にあり、
この第４状態後、さらに下降する上記フロートが上記第２カム部材の第４係合部に係合することにより上記第２カム部材が上記第２回動方向に回動した後、上記第１カム部材及び上記第２カム部材が上記付勢部材の付勢力により上記第１状態に復元されて、上記フロートが再び上記制御筒に係止されるものであり、
上記非接触状態維持手段は、上記第２状態の後から上記第４状態の前までの間に上記摺動部材の突起部と上記第１カム部材の第１係合部との係合を解除して互いの非接触状態を維持するものである請求項８記載の洗浄水タンク装置。
【請求項１０】
上記付勢部材は、上記第１カム部材及び上記第２カム部材を互いに同一の回動軸線を中心に回動可能に連結するねじりばねである請求項９記載の洗浄水タンク装置。
【請求項１１】
上記非接触状態維持手段は、上記カム部材を第１回動方向に付勢する上記付勢部材である第１付勢部材と、上記摺動部材の外周面の一部に所定の回動角度の範囲内で回動可能に設けられた回動突起部と、この回動突起部を上記第１回動方向とは反対の第２の回動方向に付勢する第２付勢部材と、からなり、
上記カム部材は、上記回動突起部に係合／係合解除可能な第１係合部と、上記フロートに係止／係止解除可能である第２係合部と、を備え、
上記排水弁体が上記排水口を閉止している状態では、上記第１付勢部材により上記カム部材が第１回動方向に付勢されると共に上記第２付勢部材により上記回動突起部が上記第２回動方向に付勢されて、上記カム部材の第１係合部と上記回動突起部との係合が解除されると共に上記カム部材の第２係合部と上記フロートとが係止されて、上記フロートが上記制御筒に対して係止された第１状態にあり、
この第１状態後、上記摺動部材が上昇して上記排水弁体が開弁する状態では、上記回動突起部が上記カム部材の第１係合部に係合して上記カム部材が上記第２回動方向に回動することにより、上記カム部材の第２係合部と上記フロートとの係止が解除された第２状態にあり、
この第２状態後、さらに、上記摺動部材及び上記フロートが上昇した状態では、上記カム部材及び上記回動突起部のそれぞれは、上記第１付勢部材及び上記第２付勢部材のそれぞれの付勢力により復元されて上記第１状態と同一である第３状態にあり、
この第３状態後、上記フロート及び上記排水弁体が上記貯水タンク内の水位の低下と共に下降して上記排水弁体が閉弁する状態では、上記回動突起部が上記カム部材の第１係合部に係合して上記第１回動方向に回動した第４状態にあり、
この第４状態後、さらに下降する上記フロートが上記カム部材の第２係合部に係合することにより上記カム部材が上記第２回動方向に回動した後、上記カム部材が上記第１付勢部材の付勢力により上記第１状態に復元されて、上記フロートが再び上記制御筒に係止されるものであり、
上記非接触状態維持手段は、上記第２状態の後から上記第４状態の前までの間に上記回動突起部と上記カム部材の第１係合部との係合を解除して互いの非接触状態を維持するものである請求項８記載の洗浄水タンク装置。
【請求項１２】
上記係止／係止解除機構部は、更に、上記カム部材が上記制御筒と上記フロートとの係止を解除している状態における上記排水弁体の閉弁途中で下降している上記摺動部材の摺動抵抗を抑制する摺動抵抗抑制手段を備えている請求項６又は７に記載の洗浄水タンク装置。
【請求項１３】
上記摺動抵抗抑制手段は、上記カム部材の上記摺動部材側の端部に回転可能に設けられた回転機構部からなり、この回転機構部は、上記排水弁体の閉弁途中で下降している上記摺動部材の突出部に係合可能な回転部材を備えており、この回転部材は、上記摺動部材の摺動方向と同一方向に回転して上記摺動部材の突出部上に沿って摺動可能である請求項１２記載の洗浄水タンク装置。
【請求項１４】
上記カム部材は、カム本体部と、このカム本体部から上記摺動部材の突出部の両側を挟み込むように延びる一対のアーム部と、これらのアーム部の各先端部付近に設けられて上記制御筒の一部に回動可能に連結されるヒンジ部と、上記カム本体部の上記一対のアーム部同士の間から上記摺動部材に向かって突出して上記排水弁体の閉弁途中の上記摺動部材の突出部に係合可能な第１係合部と、上記カム本体部の下端に設けられて上記フロートに係止／係止解除可能な第２係合部と、を備えており、
上記摺動抵抗抑制手段は、上記排水弁体の閉弁途中で上記摺動部材の突出部が上記カム部材の第１係合部に係合して下方に摺動しているときに、上記カム部材の第１係合部が上記摺動部材の突出部から離間する方向に上記カム部材が上記ヒンジ部を中心に回動可能となるように、上記カム部材の第１係合部と上記摺動部材の突出部との接触位置について、上記カム部材のヒンジ部よりも上記摺動部材の中心軸線に対して遠位側に位置決めするものである請求項１２記載の洗浄水タンク装置。
【請求項１５】
請求項１乃至１４の何れか１項に記載の洗浄水タンク装置を備えた水洗大便器。
【発明の詳細な説明】
【技術分野】
【０００１】
本発明は、洗浄水タンク装置、及び、この洗浄水タンク装置を備えた水洗大便器に係り、特に、水洗大便器を洗浄する洗浄水を貯水する洗浄水タンク装置、及び、この洗浄水タンク装置を備えた水洗大便器に関する。
【背景技術】
【０００２】
従来、水洗大便器を洗浄する洗浄水を貯水する洗浄水タンク装置として、例えば、特許文献１に記載されているように、貯水タンクの底部に形成された排水口を囲むように設けられた筒体と、この筒体の内方に配置された制御筒と、この制御筒内に配置されて制御筒内の水位に応じた浮力により上下動するフロートと、このフロートに一体的に上下動することにより排水口を開閉する排水弁体とを備えた洗浄水タンク装置が知られている。
【先行技術文献】
【特許文献】
【０００３】
【特許文献１】特許４９６８５５４号公報（特開２０１１−２４１５５４号公報）
【発明の概要】
【発明が解決しようとする課題】
【０００４】
しかしながら、上述した特許文献１に記載されている従来の洗浄水タンク装置においては、排水弁体が下降して排水口を閉止した状態では、貯水タンク内の水圧や排水弁体の自重等によって排水弁体が排水口を閉止しているときの力（以下「閉止力」と呼ぶ。）が作用しているが、制御筒内の水位によるフロート自体の浮力も排水弁体を開弁させる方向に作用しているため、このようなフロートの浮力が排水弁体の閉止力を低下させて、貯水タンクの排水口の止水不良等の不具合の要因にもなるという問題がある。
したがって、このようなフロートの浮力による排水弁体の閉止力の低下をいかに抑制するかが従来から要請された課題となっている。
また、特に、例えば、貯水タンクの満水水位の設定高さや排水終了時に最終的に得られる貯水タンク内の最低水位の設定高さが比較的低く、洗浄水の水頭圧（ヘッド圧）が比較的低い仕様の貯水タンクに適用した場合には、排水弁体が閉止した状態の貯水タンク内の洗浄水の水位も低くなるため、その分、貯水タンク内の洗浄水全体が及ぼす排水弁体の閉止力も小さくなり、排水弁体の閉止力も低下するという問題もある。
【０００５】
そこで、本発明は、上述した従来から要請された課題や従来技術の問題を解決するためになされたものであり、排水口を閉止した状態の排水弁体にフロートの浮力が作用して排水弁体の閉止力を低下させることを効果的に防ぐことができる洗浄水タンク装置、及び、この洗浄水タンク装置を備えた水洗大便器を提供することを目的としている。
【課題を解決するための手段】
【０００６】
上記の目的を達成するために、本発明は、水洗大便器を洗浄する洗浄水を貯水する洗浄水タンク装置であって、洗浄水が貯水され、底面に排水口が形成された貯水タンクと、上記排水口を開閉して水洗大便器への洗浄水の供給を行う排水弁装置部と、を有し、この排水弁装置部は、上記排水口を取り囲むように上記貯水タンクの底面から鉛直方向上方に延びる筒体と、この筒体の内方に配置された制御筒と、この制御筒内に配置されるフロートと、このフロートの下降に連動して下降して上記排水口を閉止するように構成された排水弁体と、この排水弁体が上記排水口を閉止している状態で上記フロートの浮力が上記排水弁体に作用して上記排水弁体の閉止力を低下させないように上記フロートを上記制御筒に係止し、上記排水弁体が開弁すると上記制御筒に対する上記フロートの係止を解除する係止／係止解除機構部と、を備えていることを特徴としている。
このように構成された本発明においては、排水弁装置部の係止／係止解除機構部により、排水弁体が排水口を閉止している状態でフロートの浮力が排水弁体の閉止力を低下させないようにフロートを制御筒に係止することができ、排水弁体が開弁すると制御筒に対するフロートの係止を解除することができる。したがって、例えば、貯水タンクの満水水位の設定高さや排水終了時に最終的に得られる貯水タンク内の最低水位の設定高さが比較的低く、洗浄水の水頭圧が比較的低い仕様の貯水タンクに適用した場合に、貯水タンク内の洗浄水の水位が低く、排水口を閉止している排水弁体に作用する閉止力が比較的小さい状態であっても、フロートの浮力が排水弁体に作用して排水弁体の閉止力を低下させることを効果的に防ぐことができる。
【０００７】
本発明において、好ましくは、上記係止／係止解除機構部は、上記フロートが上記排水弁体に干渉しないように上記制御筒の一部に設けられている。
このように構成された本発明においては、係止／係止解除機構部が、フロートが排水弁体に干渉しないように制御筒の一部に設けられていることにより、フロートが排水弁体に干渉することなく、係止／係止解除機構部がフロートを制御筒に効果的に係止したり、制御筒に対するフロートの係止を効果的に解除したりすることができる。したがって、閉止状態の排水弁体にフロートの浮力が作用して排水弁体の閉止力が低下することをより効果的に防ぐことができる。
【０００８】
本発明において、好ましくは、上記係止／係止解除機構部は、上記フロートが上記排水弁体に干渉しないように上記フロートの一部に設けられている。
このように構成された本発明においては、係止／係止解除機構部が、フロートが排水弁体に干渉しないようにフロートの一部に設けられていることにより、フロートが排水弁体に干渉することなく、係止／係止解除機構部がフロートを制御筒に効果的に係止したり、制御筒に対するフロートの係止を効果的に解除したりすることができる。したがって、閉止状態の排水弁体にフロートの浮力が作用して排水弁体の閉止力が低下することをより効果的に防ぐことができる。
【０００９】
本発明において、好ましくは、上記制御筒は、洗浄水が貯水されて上記フロートが配置される貯水部を備え、この貯水部の底面には、上記排水弁体が閉止状態であるときに上記フロートが上記貯水部の底面まで下降可能に上記貯水部内の洗浄水を排水するため排水手段が設けられている。
このように構成された本発明においては、制御筒の底面には、排水弁体が閉止状態であるときにフロートが制御筒の貯水部の底面まで下降可能に制御筒の貯水部内の洗浄水を排水するため排水手段が設けられているため、排水弁体が閉止状態であるときに、制御筒の貯水部内の洗浄水を排水手段により十分に排水することができ、制御筒の貯水部内の洗浄水によりフロートに浮力が生じることを防ぐことができる。したがって、閉止状態の排水弁体にフロートの浮力が作用して排水弁体の閉止力が低下することをより効果的に防ぐことができる。
【００１０】
本発明において、好ましくは、上記排水手段は、上記制御筒の貯水部の底面を貫くように形成された貫通穴部と、この貫通穴部に開閉可能に設けられて上記フロートが上記貯水部の底面付近まで下降した際に上記貫通穴部を開放する開閉弁と、を備えている。
このように構成された本発明においては、排水手段は、制御筒の貯水部の底面を貫くように形成された貫通穴部と、この貫通穴部に開閉可能に設けられてフロートが制御筒の貯水部の底面付近まで下降した際に貫通穴部を開放する開閉弁とを備えていることにより、排水弁体が閉止状態であるときに、開閉弁が貫通穴部を開放し、制御筒の貯水部内の洗浄水を十分に排水することができ、制御筒の貯水部内の洗浄水によりフロートに浮力が生じることを防ぐことができる。したがって、閉止状態の排水弁体にフロートの浮力が作用して排水弁体の閉止力が低下することをより効果的に防ぐことができる。
【００１１】
本発明において、好ましくは、上記排水弁装置部は、更に、上記排水弁体から上方に延びて上記制御筒に対して上下方向に摺動可能な摺動部材を備え、この摺動部材は、その周面から外側に突出して軸方向に延びるように形成された突出部を備え、上記係止／係止解除機構部は、上記制御筒又は上記フロートに回動可能に設けられたカム部材を備え、このカム部材は、上記排水弁体が上記排水口を閉止している状態では第１回動方向に回動して上記フロートを上記制御筒に係止し、上記排水弁体が開弁すると上記摺動部材の突出部に係合することにより上記第１回動方向とは反対方向の第２回動方向に回動して上記制御筒と上記フロートとの係止を解除し、その後、上記フロート及び上記排水弁体が上記貯水タンク内の水位の低下と共に下降して上記排水弁体が閉弁すると、上記第１回動方向に回動して上記フロートを再び上記制御筒に係止する。
このように構成された本発明においては、排水弁体が排水口を閉止している状態では係止／係止解除機構部のカム部材が第１回動方向に回動してフロートを制御筒に係止することができる。さらに、排水弁体が開弁すると係止／係止解除機構部のカム部材が排水弁装置部の摺動部材の突出部に係合することにより第１回動方向とは反対方向の第２回動方向に回動して制御筒とフロートとの係止を解除することができ、その後、フロート及び排水弁体が貯水タンク内の水位の低下と共に下降して排水弁体が閉弁すると、係止／係止解除機構部のカム部材が第１回動方向に回動してフロートを再び制御筒に係止することができる。したがって、排水弁体及び摺動部材の上下動に応じて、摺動部材の突出部とカム部材との係合や係合解除を適宜行うことにより、制御筒とフロートとの係止や係止解除を適宜行うことができる。よって、閉止状態の排水弁体にフロートの浮力が作用して排水弁体の閉止力が低下することをより効果的に防ぐことができる。
【００１２】
本発明において、好ましくは、上記係止／係止解除機構部は、更に、上記カム部材を上記第１回動方向に付勢する付勢手段を備えている。
このように構成された本発明においては、排水弁体が排水口を閉止している状態では、係止／係止解除機構部の付勢手段により係止／係止解除機構部のカム部材が第１回動方向に回動するように付勢され、フロートを制御筒に確実に係止することができる。さらに、フロート及び排水弁体が貯水タンク内の水位の低下と共に下降して排水弁体が閉弁すると、係止／係止解除機構部のカム部材が第２回動方向に回動して制御筒とフロートとの係止を解除している状態から係止／係止解除機構部の付勢手段により第１回動方向に回動するように付勢され、フロートを再び制御筒に係止することができる。したがって、閉止状態の排水弁体にフロートの浮力が作用して排水弁体の閉止力が低下することをより効果的に防ぐことができる。
【００１３】
本発明において、好ましくは、上記排水弁装置部は、更に、上記排水弁体から上方に延びて上記制御筒に対して上下方向に摺動可能な摺動部材を備え、上記係止／係止解除機構部は、上記制御筒に回動可能に設けられて一端が上記摺動部材に係合／係合解除可能であると共に他端が上記フロートに係止／係止解除可能なカム部材と、このカム部材を所定の回動方向に付勢する付勢部材と、を備え、上記係止／係止解除機構部には、上記制御筒に対する上記フロートの係止が解除されている状態で上下方向に摺動している上記摺動部材と上記カム部材との係合を解除して非接触状態を維持する非接触状態維持手段が設けられている。
このように構成された本発明においては、非接触状態維持手段により制御筒に対するフロートの係止が解除されている状態で上下方向に摺動している摺動部材とカム部材との係合を解除して非接触状態を維持することができるため、開弁時の制御筒とフロートとの係止解除後から閉弁時の制御筒とフロートとの再係止までの間、カム部材と摺動部材の突出部とが係合した状態を維持させておく必要がなく、カム部材に対する摺動部材の摺動抵抗を抑制することができる。したがって、閉弁時の排水弁体が閉弁しきれないという不具合を抑制することができる。
【００１４】
本発明において、好ましくは、上記非接触状態維持手段は、上記摺動部材の周面に形成された突起部、上記制御筒に設けられて互いに同一の回動軸線を中心に回動可能である第１カム部材及び第２カム部材からなる上記カム部材、並びに、上記第１カム部材及び上記第２カム部材を互いに連結する上記付勢部材からなり、上記第１カム部材は、上記摺動部材の突起部に係合／係合解除可能な第１係合部と、上記第２カム部材に係合／係合解除可能である第２係合部と、を備え、上記第２カム部材は、上記第１カム部材の第２係合部に係合／係合解除可能である第３係合部と、上記フロートに係止／係止解除可能である第４係合部と、を備え、上記排水弁体が上記排水口を閉止している状態では、上記付勢部材により上記第１カム部材が第２回動方向に付勢されると共に上記第２カム部材が上記第２回動方向とは反対の第１回動方向に付勢されて、上記第１カム部材の第１係合部と上記摺動部材の突起部との係合が解除されると共に上記第２カム部材の第４係合部と上記フロートとが係止された上記係止／係止解除機構部の第１状態にあり、この第１状態後、上記摺動部材が上昇して上記排水弁体が開弁する状態では、上記摺動部材の突起部が上記第１カム部材の第１係合部に係合して上記第１カム部材及び上記第２カム部材が上記第２回動方向に連結して回動することにより、上記第２カム部材の第４係合部と上記フロートとの係止が解除された上記係止／係止解除機構部の第２状態にあり、この第２状態後、さらに、上記摺動部材及び上記フロートが上昇した状態では、上記第１カム部材及び上記第２カム部材は、上記付勢部材の付勢力により復元されて上記第１状態と同一である上記係止／係止解除機構部の第３状態にあり、この第３状態後、上記フロート及び上記排水弁体が上記貯水タンク内の水位の低下と共に下降して上記排水弁体が閉弁する前の状態では、上記摺動部材の突起部が上記第１カム部材の第１係合部に係合して上記第１カム部材のみが上記第２カム部材に対して独立に上記第１回動方向に回動した上記係止／係止解除機構部の第４状態にあり、この第４状態後、さらに下降する上記フロートが上記第２カム部材の第４係合部に係合することにより上記第２カム部材が上記第２回動方向に回動した後、上記第１カム部材及び上記第２カム部材が上記付勢部材の付勢力により上記第１状態に復元されて、上記フロートが再び上記制御筒に係止されるものであり、上記非接触状態維持手段は、上記第２状態の後から上記第４状態の前までの間に上記摺動部材の突起部と上記第１カム部材の第１係合部との係合を解除して互いの非接触状態を維持するものである。
このように構成された本発明においては、非接触状態維持手段が、第２状態の後から第４状態の前までの間に摺動部材の突起部と第１カム部材の第１係合部との係合を解除して非接触状態を維持するものであることにより、開弁時の制御筒とフロートとの係止解除後から閉弁時の制御筒とフロートとの再係止までの間、第１カム部材の第１係合部と摺動部材の突起部とが係合した状態を維持させておく必要がなく、第１カム部材に対する摺動部材の摺動抵抗を抑制することができる。したがって、閉弁時の排水弁体が閉弁しきれないという不具合を抑制することができる。
【００１５】
本発明において、好ましくは、上記付勢部材は、上記第１カム部材及び上記第２カム部材を互いに同一の回動軸線を中心に回動可能に連結するねじりばねである。
このように構成された本発明においては、付勢部材が第１カム部材及び第２カム部材を互いに同一の回動軸線を中心に回動可能に連結するねじりばねである簡易な構造によって、第２状態の後から第４状態の前までの間に摺動部材の突起部と第１カム部材の第１係合部との係合を解除して確実に非接触状態を維持することができる。したがって、簡易な構造で第１カム部材に対する摺動部材の摺動抵抗を抑制することができ、閉弁時の排水弁体が閉弁しきれないという不具合を抑制することができる。
【００１６】
本発明において、好ましくは、上記非接触状態維持手段は、上記カム部材を第１回動方向に付勢する上記付勢部材である第１付勢部材と、上記摺動部材の外周面の一部に所定の回動角度の範囲内で回動可能に設けられた回動突起部と、この回動突起部を上記第１回動方向とは反対の第２の回動方向に付勢する第２付勢部材と、からなり、上記カム部材は、上記回動突起部に係合／係合解除可能な第１係合部と、上記フロートに係止／係止解除可能である第２係合部と、を備え、上記排水弁体が上記排水口を閉止している状態では、上記第１付勢部材により上記カム部材が第１回動方向に付勢されると共に上記第２付勢部材により上記回動突起部が上記第２回動方向に付勢されて、上記カム部材の第１係合部と上記回動突起部との係合が解除されると共に上記カム部材の第２係合部と上記フロートとが係止されて、上記フロートが上記制御筒に対して係止された第１状態にあり、この第１状態後、上記摺動部材が上昇して上記排水弁体が開弁する状態では、上記回動突起部が上記カム部材の第１係合部に係合して上記カム部材が上記第２回動方向に回動することにより、上記カム部材の第２係合部と上記フロートとの係止が解除された第２状態にあり、この第２状態後、さらに、上記摺動部材及び上記フロートが上昇した状態では、上記カム部材及び上記回動突起部のそれぞれは、上記第１付勢部材及び上記第２付勢部材のそれぞれの付勢力により復元されて上記第１状態と同一である第３状態にあり、この第３状態後、上記フロート及び上記排水弁体が上記貯水タンク内の水位の低下と共に下降して上記排水弁体が閉弁する状態では、上記回動突起部が上記カム部材の第１係合部に係合して上記第１回動方向に回動した第４状態にあり、この第４状態後、さらに下降する上記フロートが上記カム部材の第２係合部に係合することにより上記カム部材が上記第２回動方向に回動した後、上記カム部材が上記第１付勢部材の付勢力により上記第１状態に復元されて、上記フロートが再び上記制御筒に係止されるものであり、上記非接触状態維持手段は、上記第２状態の後から上記第４状態の前までの間に上記回動突起部と上記カム部材の第１係合部との係合を解除して互いの非接触状態を維持するものである。
このように構成された本発明においては、非接触状態維持手段が、第２状態の後から第４状態の前までの間に回動突起部とカム部材の第１係合部との係合を解除して非接触状態を維持するものであることにより、開弁時の制御筒とフロートとの係止解除後から閉弁時の制御筒とフロートとの再係止までの間、カム部材の第１係合部と摺動部材の回動突起部とが係合した状態を維持させておく必要がなく、カム部材に対する摺動部材の摺動抵抗を抑制することができる。したがって、閉弁時の排水弁体が閉弁しきれないという不具合を抑制することができる。
【００１７】
本発明において、好ましくは、上記係止／係止解除機構部は、更に、上記カム部材が上記制御筒と上記フロートとの係止を解除している状態における上記排水弁体の閉弁途中で下降している上記摺動部材の摺動抵抗を抑制する摺動抵抗抑制手段を備えている。
このように構成された本発明においては、係止／係止解除機構部が摺動抵抗抑制手段を備えていることにより、カム部材が制御筒とフロートとの係止を解除している状態における排水弁体の閉弁途中で下降している摺動部材の摺動抵抗を抑制することができるため、閉弁時の排水弁体が閉弁しきれないという不具合を防ぐことができる。
【００１８】
本発明において、好ましくは、上記摺動抵抗抑制手段は、上記カム部材の上記摺動部材側の端部に回転可能に設けられた回転機構部からなり、この回転機構部は、上記排水弁体の閉弁途中で下降している上記摺動部材の突出部に係合可能な回転部材を備えており、この回転部材は、上記摺動部材の摺動方向と同一方向に回転して上記摺動部材の突出部上に沿って摺動可能である。
このように構成された本発明においては、摺動抵抗抑制手段がカム部材の摺動部材側の端部に回転可能に設けられた回転機構部からなり、この回転機構部が排水弁体の閉弁途中で下降している摺動部材の突出部に係合可能な回転部材を備えており、この回転部材が摺動部材の摺動方向と同一方向に回転して摺動部材の突出部上に沿って摺動可能であるため、排水弁体の閉弁途中で下降している摺動部材における回転機構部の回転部材に対する摺動抵抗を抑制することができるため、閉弁時の排水弁体が閉弁しきれないという不具合を防ぐことができる。
【００１９】
本発明において、好ましくは、上記カム部材は、カム本体部と、このカム本体部から上記摺動部材の突出部の両側を挟み込むように延びる一対のアーム部と、これらのアーム部の各先端部付近に設けられて上記制御筒の一部に回動可能に連結されるヒンジ部と、上記カム本体部の上記一対のアーム部同士の間から上記摺動部材に向かって突出して上記排水弁体の閉弁途中の上記摺動部材の突出部に係合可能な第１係合部と、上記カム本体部の下端に設けられて上記フロートに係止／係止解除可能な第２係合部と、を備えており、上記摺動抵抗抑制手段は、上記排水弁体の閉弁途中で上記摺動部材の突出部が上記カム部材の第１係合部に係合して下方に摺動しているときに、上記カム部材の第１係合部が上記摺動部材の突出部から離間する方向に上記カム部材が上記ヒンジ部を中心に回動可能となるように、上記カム部材の第１係合部と上記摺動部材の突出部との接触位置について、上記カム部材のヒンジ部よりも上記摺動部材の中心軸線に対して遠位側に位置決めするものである。
このように構成された本発明においては、カム部材の第１係合部と摺動部材の突出部との接触位置について摺動部材に対してカム部材のヒンジ部よりも遠位側に位置決めする摺動抵抗抑制手段により、排水弁体の閉弁途中で摺動部材の突出部がカム部材の第１係合部に係合して下方に摺動しているときに、カム部材の第１係合部が摺動部材の突出部から離間する方向にカム部材がヒンジ部を中心に回動可能となる。したがって、排水弁体の閉弁途中で下降している摺動部材におけるカム部材の第１係合部に対する摺動抵抗を抑制することができ、閉弁時の排水弁体が閉弁しきれないという不具合を防ぐことができる。
【００２０】
また、本発明は、上記洗浄水タンク装置を備えた水洗大便器を特徴としている。
このように構成された本発明においては、例えば、貯水タンクの満水水位の設定高さや排水終了時に最終的に得られる貯水タンク内の最低水位の設定高さが比較的低く、洗浄水の水頭圧が比較的低い仕様の貯水タンクに適用した場合に、貯水タンク内の洗浄水の水位が低く、排水口を閉止している排水弁体に作用する閉止力が比較的小さい状態であっても、フロートの浮力が排水弁体に作用して排水弁体の閉止力を低下させることを効果的に防ぐことができる洗浄水タンク装置を備えた水洗大便器を提供することができる。
【発明の効果】
【００２１】
本発明の洗浄水タンク装置、及び、この洗浄水タンク装置を備えた水洗大便器によれば、排水口を閉止した状態の排水弁体にフロートの浮力が作用して排水弁体の閉止力を低下させることを効果的に防ぐことができる。
【図面の簡単な説明】
【００２２】
【図１】本発明の第１実施形態による洗浄水タンク装置が適用された水洗大便器の断面図である。
【図２】本発明の第１実施形態による洗浄水タンク装置の概略構造を示す正面断面図である。
【図３】本発明の第１実施形態による洗浄水タンク装置の排水弁装置の分解斜視図である。
【図４】本発明の第１実施形態による洗浄水タンク装置の排水弁装置の正面中央断面図であり、排水開始前又は排水終了後の排水弁体が排水口を閉止している状態を示す。
【図５】本発明の第１実施形態による洗浄水タンク装置の排水弁装置を示す正面断面図であり、図４に示す正面中央断面よりも正面側に位置する断面で見た断面図である。
【図６】図４に示す本発明の第１実施形態による洗浄水タンク装置の排水弁装置のＡ部拡大断面図である。
【図７Ａ】本発明の第１実施形態による洗浄水タンク装置の排水弁装置の正面中央断面図であり、大洗浄モードで排水弁体が最高開弁位置まで上昇した状態を示す。
【図７Ｂ】図７Ａに示す本発明の第１実施形態による洗浄水タンク装置の排水弁装置のＡ部拡大断面図である。
【図７Ｃ】本発明の第１実施形態による洗浄水タンク装置の排水弁装置を示す正面断面図であり、図７Ａに示す正面中央断面よりも正面側に位置する断面で見た断面図である。
【図８Ａ】本発明の第１実施形態による洗浄水タンク装置の排水弁装置の正面中央断面図であり、大洗浄モードで排水弁体が最高開弁位置まで上昇した状態から閉弁する途中の状態を示す。
【図８Ｂ】図８Ａに示す本発明の第１実施形態による洗浄水タンク装置の排水弁装置のＡ部拡大断面図である。
【図９】本発明の第１実施形態による洗浄水タンク装置の小洗浄モードにおける排水途中の状態を示す概略断面図である。
【図１０】本発明の第１実施形態による洗浄水タンク装置のエコ小洗浄モードにおける排水途中の状態を示す概略断面図である。
【図１１】本発明の第１実施形態による洗浄水タンク装置における貯水タンク内の水位と排水弁体のシール線圧と関係の実験結果を定性的に示す線図である。
【図１２Ａ】本発明の第２実施形態による洗浄水タンク装置の排水弁装置の正面中央断面図であり、排水開始前又は排水終了後の排水弁体が排水口を閉止している状態を示す。
【図１２Ｂ】図１２Ａに示す本発明の第２実施形態による洗浄水タンク装置の排水弁装置のＡ部拡大断面図である。
【図１３Ａ】本発明の第２実施形態による洗浄水タンク装置の排水弁装置の正面中央断面図であり、大洗浄モードで排水弁体が最高開弁位置まで上昇した状態で且つ制御筒内のフロートが途中位置まで上昇した状態を示す。
【図１３Ｂ】図１３Ａに示す本発明の第２実施形態による洗浄水タンク装置の排水弁装置のＡ部拡大断面図である。
【図１４Ａ】本発明の第２実施形態による洗浄水タンク装置の排水弁装置の正面中央断面図であり、大洗浄モードで排水弁体が最高開弁位置まで上昇した状態で且つ制御筒内のフロートが最高位置まで上昇した状態を示す。
【図１４Ｂ】図１４Ａに示す本発明の第２実施形態による洗浄水タンク装置の排水弁装置のＡ部拡大断面図である。
【図１５Ａ】本発明の第２実施形態による洗浄水タンク装置の排水弁装置の正面中央断面図であり、大洗浄モードで排水弁体が最高開弁位置まで上昇した状態から閉弁する途中の状態を示す。
【図１５Ｂ】図１５Ａに示す本発明の第２実施形態による洗浄水タンク装置の排水弁装置のＡ部拡大断面図である。
【図１６】本発明の第３実施形態による洗浄水タンク装置の排水弁装置の正面中央断面におけるオーバーフロー管の側方の部分断面図であり、排水開始前又は排水終了後の排水弁体が排水口を閉止しているときの係止／係止解除機構部の状態を示す。
【図１７】本発明の第３実施形態による洗浄水タンク装置の排水弁装置の係止／係止解除機構部を斜め上方から見た斜視図である。
【図１８】図１７のＸＶＩＩＩ−ＸＶＩＩＩ線に沿った斜視断面図である。
【図１９】本発明の第３実施形態による洗浄水タンク装置の排水弁装置の正面中央断面におけるオーバーフロー管の側方の部分断面図であり、大洗浄モードで排水弁体が閉止している状態から引き上げられるときの係止／係止解除機構部の状態を示す。
【図２０】本発明の第３実施形態による洗浄水タンク装置の排水弁装置の正面中央断面におけるオーバーフロー管の側方の部分断面図であり、大洗浄モードで排水弁体及びフロートが最高位置まで上昇したときの係止／係止解除機構部の状態を示す。
【図２１】本発明の第３実施形態による洗浄水タンク装置の排水弁装置の正面中央断面におけるオーバーフロー管の側方の部分断面図であり、排水弁体が下降している閉弁途中の係止／係止解除機構部の状態を示す。
【図２２】本発明の第３実施形態による洗浄水タンク装置の排水弁装置の正面中央断面におけるオーバーフロー管の側方の部分断面図であり、排水弁体が閉弁したときの係止／係止解除機構部の状態を示す。
【図２３】本発明の第４実施形態による洗浄水タンク装置の排水弁装置において、排水開始前又は排水終了後の排水弁体が排水口を閉止しているときの係止／係止解除機構部の状態を示す概略図である。
【図２４】本発明の第４実施形態による洗浄水タンク装置の排水弁装置において、大洗浄モードで排水弁体が閉止している状態から引き上げられるときの係止／係止解除機構部の状態を示す。
【図２５】本発明の第４実施形態による洗浄水タンク装置の排水弁装置において、排水弁体及びフロートが最高位置まで上昇したときの係止／係止解除機構部の状態を示す概略図である。
【図２６】本発明の第４実施形態による洗浄水タンク装置の排水弁装置において、排水弁体が下降している閉弁途中の係止／係止解除機構部の状態を示す概略図である。
【図２７】本発明の第５実施形態による洗浄水タンク装置の排水弁装置において、排水弁体が上昇又は下降している途中の係止／係止解除機構部の状態を示す概略断面図である。
【図２８】本発明の第５実施形態による洗浄水タンク装置の排水弁装置の係止／係止解除機構部を斜め上方から見た斜視図である。
【図２９】本発明の第６実施形態による洗浄水タンク装置の排水弁装置において、オーバーフロー管の突起部に対して接触状態となっている係止／係止解除機構部を部分的に拡大した部分正面概略図である。
【図３０】本発明の第６実施形態による洗浄水タンク装置の排水弁装置の係止／係止解除機構部を斜め上方から見た斜視図である。
【発明を実施するための形態】
【００２３】
つぎに、添付図面により、本発明の第１実施形態による洗浄水タンク装置を説明する。
まず、図１により、本発明の第１実施形態による洗浄水タンク装置が適用された水洗大便器を説明する。
図１は、本発明の第１実施形態による洗浄水タンク装置が適用された水洗大便器の断面図である。
図１に示すように、符号１は、洗い落とし式の水洗大便器を示し、この便器１は、便器本体２を備え、この便器本体２にはボウル部４と、導水路６と、ボウル部４の下部と連通するトラップ管路８がそれぞれ形成されている。便器本体２のボウル部４の上縁部には、内側にオーバーハングしたリム１０と、導水路６から供給される洗浄水を吐水する第１吐水口１２が形成され、この第１吐水口１２から吐水された洗浄水は、旋回しながら下降してボウル部を洗浄するようになっている。
【００２４】
ボウル部４の下方には、一点鎖線で貯留面Ｗ0が示された溜水部１４が形成されている。この溜水部１４の下方には、排水トラップ管路８の入口８ａが開口し、この入口８ａから上昇路８ｂが後方に延びている。この上昇路８ｂには下降路８ｃが連続し、下降路８ｃの下端は排水ソケット（図示せず）を介して床下の排出管（図示せず）に接続されている。また、ボウル部４の貯留面Ｗ0の上方位置には、導水路６から供給される洗浄水を吐水する第２吐水口１６が形成され、この第２吐水口１６から吐水される洗浄水が溜水部１４の溜水を上下方向に旋回させる旋回流を生じさせるようになっている。
【００２５】
便器本体２の導水路６の上方には、便器本体２に供給する洗浄水を貯水する洗浄水タンク装置１８が設けられている。後述するように、洗浄水タンク装置１８の貯水タンク２２の底部には、便器本体２の導水路６と連通する排水口２２ａが形成され、貯水タンク２２内の洗浄水が導水路６へと排水されるようになっている。
なお、本実施形態では、洗浄水タンク装置１８が適用される水洗大便器１として、ボウル部８内の水の落差による流水作用で汚物を押し流す、いわゆる、洗い落し式の水洗大便器１の例について説明するが、このような洗い落し式の水洗大便器に限定されず、サイホン作用を利用してボウル部内の汚物を吸い込んで排水トラップ管路から一気に外部に排出する、いわゆる、サイホン式の水洗大便器等の他のタイプの水洗大便器にも適用可能である。
【００２６】
つぎに、図２により、洗浄水タンク装置１８の概略構造について説明する。
図２は、本発明の第１実施形態による洗浄水タンク装置の概略構造を示す正面断面図である。
【００２７】
図２に示すように、洗浄水タンク装置１８は、陶器製の外装タンク２０と、この外装タンク２０内に取り付けられて洗浄水が貯水される貯水タンク２２と、外装タンク２０に載せられる蓋体２４と、を備えている。
また、貯水タンク２２の底面には、上述した便器本体の導水路６に連通する排水口２２ａが形成されている。
【００２８】
つぎに、洗浄水タンク装置１８は、外部の水道管などの給水源（図示せず）から供給される洗浄水を貯水タンク２２内に給水する給水装置２６と、排水口２２ａを開閉する排水弁装置２８と、この排水弁装置２８を操作する操作装置３０とを備えている。
給水装置２６は、排水弁装置２８による排水開始の所定時間後、給水を開始するようになっており、貯水タンク２２の満水時の止水水位は、図２に示す位置（ＷＬ０）で一定になるようにしている。
【００２９】
また、給水装置２６は、従来のものと同様のものであり、外部の水道管などの給水源（図示せず）に接続される給水管３２と、給水装置用のフロート３４と、給水管３２と連通して貯水タンク２２に洗浄水を吐水する吐水管３６と、フロート３４にレバー３８を介して連結される給水バルブ４０とを備えている。
さらに、給水装置２６は、手洗い給水管４２を備えており、この手洗い給水管４２は、蓋体２４の上面に設けられた手洗いカラン４４に給水可能となっており、便器への洗浄水の供給開始時（排水開始時）には、手洗いカラン４４は、蓋体２４の上面に形成された手洗い鉢２４ａに手洗い用の水を吐水することができるようになっている。
また、手洗いカラン４４から吐水された手洗い鉢２４ａの水は、手洗い鉢２４ａに形成された吐水口（流入口）２４ｂにより、貯水タンク２２に流入するようになっている。
さらに、蓋体２４の下方には、吐水口２４ｂから流入する水を、排水弁装置２８の制御筒４６の外方に導く導水部材４８が設けられている。
【００３０】
つぎに、洗浄水タンク装置１８は、操作装置３０及びこの操作装置３０の操作により作動される排水弁装置２８を備えている。
【００３１】
操作装置３０は、操作レバー５０と、モータ５２と、このモータ５２に接続される操作ボタン５４（図２にのみ図示）と、を備えている。
また、操作ボタン５４は、後述する大洗浄用、小洗浄用、エコ小洗浄用の３つの操作ボタンを備えている。
【００３２】
操作レバー５０は、一方（本実施形態では、手前側）に（９０度）回動させると、後述する大洗浄が開始され、他方（本実施形態では、奥側）に（９０度）回動させると、後述する小洗浄が開始されるように、排水弁装置２８を作動させる手動式の操作レバーである。
また、モータ５２は、大洗浄のボタンが押されると、操作レバー５０と同一の一方（手前側）の方向に回転し、小洗浄のボタンが押されると、操作レバー５０と同一の他方（奥側）の方向に回転して、それぞれ、大洗浄或いは小洗浄が開始されるように排水弁装置２８を作動させるようになっている。
このように、本実施形態では、使用者は、大洗浄及び小洗浄については、操作レバー５０を操作しても良いし、操作ボタン５４を押しても良い。エコ小洗浄については、モータ５２によってのみ、即ち、使用者が操作ボタンを押すことによって、排水弁装置２８が作動される。
【００３３】
これらの操作レバー５０及びモータ５２には、ワイヤ部材やユニバーサルジョイントなどにより構成される回転伝達部材５６が連結されている。この回転伝達部材５６の他端側には、その回転に伴って、回転伝達部材５６を中心に揺動する第１の引き上げ部材５８及び第２の引き上げ部材６０が取り付けられ、これらの第１の引き上げ部材５８及び第２の引き上げ部材６０の先端部には、それぞれ、第１玉鎖６２の上端部分及び第２玉鎖６４の上端部分が取り付けられている。
【００３４】
これらの第１の引き上げ部材５８及び第２の引き上げ部材６０は、回転伝達部材５６を一方側（大洗浄時）に回転させると、第１の引き上げ部材５８のみが、その一方側に揺動して第１玉鎖６２のみを引き上げ、一方、回転伝達部材５６を他方側（小洗浄時、エコ小洗浄時）に回転させると、第１の引き上げ部材５８及び第２の引き上げ部材６０の両方が、その他方側に揺動して第１玉鎖６２及び第２玉鎖６４の両方を引き上げるような機械的な機構とされている。
【００３５】
つぎに、図２〜図６により、排水弁装置２８について説明する。
図３は、本発明の第１実施形態による洗浄水タンク装置の排水弁装置の分解斜視図である。また、図４は、本発明の第１実施形態による洗浄水タンク装置の排水弁装置の正面中央断面図であり、排水開始前又は排水終了後の排水弁体が排水口を閉止している状態を示す。
【００３６】
まず、図３及び図４に示すように、本実施形態による洗浄水タンク装置１８の排水弁装置２８は、排水口２２ａの上縁に沿って形成される弁座６６と、この弁座６６の上端面に上方から接触することにより排水口２２ａを閉止する排水弁体６８と、上下方向に延びるように形成されて下端側に排水弁体６８が取り付けられているオーバーフロー管７０とを備えている。このオーバーフロー管７０は、排水弁体６８が保持されている弁体保持部７０ａから上方に延びて制御筒４６に対して上下方向に摺動可能な摺動部材である。また、オーバーフロー管７０は、排水弁体６８が排水口２２ａを閉止している状態で貯水タンク２２内の水位がオーバーフロー管７０の上端を上回った場合に、この上回った洗浄水について、オーバーフロー管７０内を通過させて排水口２２ａに流出させることができるようになっている。
つぎに、図３及び図４に示すように、排水弁装置２８は、貯水タンク２２の底部に接続されて排水口２２ａを形成する排水口形成部材７１と、この排水口形成部材７１の上端部に下端部が接続されて固定される制御筒４６と、排水口形成部材７１の上端部に下端部が接続されて制御筒４６を内方に配置する筒体７２と、制御筒４６内に配置されて制御筒４６内の水位に応じて上下動するフロート７４とを備えている。
また、図３及び図４に示すように、排水弁装置２８は、オーバーフロー管７０と第１玉鎖６２とを接続する接続部材７６と、筒体７２の側面に形成される開口部７８を開閉する切替弁８０とを備えている。
【００３７】
さらに、図３及び図４に示すように、排水弁装置２８は、フロート７４を制御筒４６に対して係止したり、互いの係止を解除したりする係止／係止解除機構部８２を備えており、この係止解除機構部８２は、フロート７４が排水弁体６８に干渉しないように制御筒４６の一部に設けられている。
また、この係止解除機構部８２は、その具体的な構造については後述するが、排水弁体６８が排水口２２ａを閉止している状態において、フロート７４の浮力が排水弁体６８の閉止力を低下させないようにフロート７４を制御筒４６に係止し、排水弁体６８が所定の開弁位置よりも上方に位置している状態で制御筒４６に対するフロート７４の係止を解除することができるようになっている。
【００３８】
まず、図３及び図４に示すように、排水弁体６８は、オーバーフロー管７０の下端部に形成された断面コ字状の弁体保持部７０ａに嵌め込まれ、オーバーフロー管７０と共に上下動して、排水口２２ａを開閉するようになっている。
また、図３及び図４に示すように、オーバーフロー管７０の上下方向の中間部よりも上端寄りの側面には、接続部材７６が嵌合されて保持される嵌合凹部７０ｂが全周に亘って形成されている。
さらに、図３及び図４に示すように、オーバーフロー管７０の弁体保持部７０ａと嵌合凹部７０ｂとの間の下端寄りの側面には、オーバーフロー管７０の径方向外側に突出して且つ上下方向に延びる複数の縦長のリブ７０ｃが周方向に間隔を置いて形成されている。同様に、オーバーフロー管７０の弁体保持部７０ａと嵌合凹部７０ｂとの間における第１リブ７０ｃよりも上方の側面には、オーバーフロー管７０の径方向外側に突出して且つ上下方向に延びる複数の縦長のリブ７０ｄが周方向に間隔を置いて形成されている。
【００３９】
つぎに、図５は、本発明の第１実施形態による洗浄水タンク装置の排水弁装置を示す正面断面図であり、図４に示す正面中央断面よりも正面側に位置する断面で見た断面図である。
図３〜図５に示すように、制御筒４６は、ほぼ円筒状に形成された外側壁４６ａと、オーバーフロー管７０の上下動をガイドする可能にほぼ円筒状に形成された内側壁４６ｂとを備えている。また、オーバーフロー管７０が内側壁４６ｂ内を上下動した際に、オーバーフロー管７０が軸方向に対してずれたとしても、オーバーフロー管７０のリブ７０ｃ，７０ｄが制御筒４６の内側壁４６ｂの壁面に当接することにより、オーバーフロー管７０が鉛直方向に直動するように矯正されるようになっている。
さらに、制御筒４６は、これらの外側壁４６ａ及び内側壁４６ｂと共に洗浄水を貯水可能にする中間水平壁４６ｃとを備えている。これらの外側壁４６ａ、内側壁４６ｂ及び中間水平壁４６ｃは、制御筒４６内の貯水部４６ｄを形成しており、特に、中間水平壁４６ｃは、貯水部４６ｄの底面を形成している。
【００４０】
つぎに、図３〜図５に示すように、貯水部４６ｄの外側壁４６ａには、貯水部４６ｄ内に貯水された洗浄水を所定の流量で流出させるための小穴４６ｅが貫くように形成されている。
また、図３及び図４に示すように、小穴４６ｅは、スライド部材（切替部材）８４によりスライドして開閉可能となっており、貯水部４６ｄ内から流出させる洗浄水の流量を調節することができるようになっている。
【００４１】
つぎに、図５に示すように、貯水部４６ｄの底面を形成する中間水平壁４６には、貯水部４６ｄ内に貯水された洗浄水を所定の流量で流出させるための小穴４６ｆが貫くように形成されている。
また、図５に示すように、中間水平壁４６ｃには、小穴４６ｆを開閉する開閉弁８６が設けられている。この開閉弁８６は、小穴４６ｆを開閉する弁部８６ａと、支点部８６ｂと、力点部８６ｃとを備えており、弁部８６ａから支点部８６ｂまで延びた後、支点部８６ｂで力点部８６ｃに向かって折れ曲がった正面視で概ねＶ字形形状の薄板部材からなる。
さらに、開閉弁８６の支点部８６ｂについては、中間水平壁４６ｃに設けられた開閉弁保持部４６ｇに保持されている。
また、排水弁体６８が排水口２２ａを閉止した状態となり、フロート７４の下端が制御筒４６の底面（中間水平壁４６）付近まで下降した際、フロート７４の下端が開閉弁８６の力点部８６ｃに接触して下方に押圧することにより、開閉弁８６の弁部８６ａが小穴４６ｆを開放する方向に支点部８６ｂを中心に回動可能となっている。これにより、フロート７４の下端が制御筒４６の貯水部４６ｄの底面（中間水平壁４６）付近まで下降した際に小穴４６ｆを開放し、制御筒４６の貯水部４６ｄ内の洗浄水を十分に排水することができ、制御筒４６の貯水部４６ｄ内の洗浄水によりフロート７４に浮力が生じることを防ぐことができるようになっている。
すなわち、これらの小穴４６ｆ及び開閉弁８６は、排水弁体６８が閉止状態であるときにフロート７４の下端が制御筒４６の底面（中間水平壁４６）まで下降可能に制御筒４６の貯水部４６ｄ内の洗浄水を排水するため排水手段として機能するようになっている。
【００４２】
また、図３に示すように、制御筒４６の外側壁４６ａには、上述した貯水部４６ｄより下方部分に、排水時に、制御筒４６の外方側の洗浄水を排水口２２ａに流入させるための流入口４６ｈが形成されている。
さらに、図３〜図５に示すように、上述した貯水部４６ｄの内方にフロート７４が配置されている。このフロート７４の上方には、接続部材７６がオーバーフロー管７０の嵌合凹部７０ｂ内に側方からはめ込まれることにより、接続部材７６は、オーバーフロー管７０に対して水平方向に回転できるように取り付けられる一方、オーバーフロー管７０に対しては上下方向には移動できないよう固定されている。
【００４３】
また、接続部材７６には、上述した第１の引き上げ部材５８に取り付けられた第１玉鎖６２の下端部分が取り付けられ、排水時に、オーバーフロー管７０を引き上げるために使用される。
使用者が操作レバー５０を回転させ、或いは、洗浄のボタンが押されモータ５２が作動されると、第１玉鎖６２が引き上げられるが、その際に、オーバーフロー管７０及び排水弁体６８は、貯水タンク２２内に貯水されている洗浄水のヘッド圧により鉛直下方向に抑えられているため、まず、接続部材７６がオーバーフロー管７０に対して水平方向に回転し、その後、オーバーフロー管７０が鉛直上方に移動することになる。
このような構成により、オーバーフロー管７０が回転しながら鉛直方向上方に移動することを防ぐことができ、排水弁装置２８の開弁動作を安定させることができるようになっている。
さらに、接続部材７６は、満水時には、フロート７４の上昇を抑えるストッパとしての機能を有し、排水時には、接続部材７６がフロート７４の上面に当接して、オーバーフロー管７０及び排水弁体６８がフロート７４と共に下降するようになっている。
【００４４】
つぎに、図３及び図４により、筒体７２及び切替弁８０等により構成される流量調節機構について説明する。
まず、図３及び図４に示すように、筒体７２は、その横断面形状がほぼ矩形状に形成され、４辺の上縁部７２ａを有し、上方が開放されている。
また、筒体７２は、矩形状に形成された筒体７２の４つの側面のうち、１つの側面７２ｂにのみ、矩形状の開口部７８が１つだけ形成されている。
そして、この開口部７８を開閉可能な切替弁８０として、図３及び図４に示すように、第１切替弁８８及びその外方側に設けられる第２切替弁９０が設けられている。
【００４５】
図３に示すように、筒体７２は、開口部７８の下方且つ側方の両側に軸７２ｃを備えており、第１切替弁８８は、これらの軸７２ｃにより揺動自在に嵌められる受部８８ａを備えている。
また、図３に示すように、第２切替弁９０には、第１切替弁８８の受部８８ａに揺動自在に嵌められる孔部９０ａが形成されている。
これらにより、第１切替弁８８は、軸体７２ｃを中心に、下方位置から開口部７８を閉じる位置まで揺動可能になり、第２切替弁９０は、下方位置から開口部７８を閉じた第１切替弁８８に隣接する位置まで揺動可能になっている。
【００４６】
つぎに、図３に示すように、第１切替弁８８には、第１切替弁８８が開口部７８を閉じたとき、筒体７２の外方と内方とを連通させる連通口８８ｂが形成されている。この連通口８８ｂの開口断面積は、開口部７８の開口断面積よりも小さく、その大きさは、開口部７８を全開にしたときより、洗浄水の流量が所定量少なくなるような大きさに形成されている。このように、第１切替弁８８は、筒体７２の開口部７８の開口断面積を調節（減少）することができるようになっている。
【００４７】
つぎに、第２切替弁９０には、第１切替弁８８側に向けて延びる突出部９０ｂが形成されている。この突出部９０ｂは、第２切替弁９０が第１切替弁８８に近接され或いは隣接されたとき、第１切替弁８８の連通口８８ｂに挿入可能な位置及び角度に形成されている。
また、この第２切替弁９０には、上述した第２の引き上げ部材６０に取り付けられた第２玉鎖６４の下端部分が取り付けられている。
さらに、第１切替弁８８及び第２切替弁９０のそれぞれには、錘９２，９４がそれぞれ取り付けられている。
なお、図４に示す本実施形態では、第１切替弁８８及び第２切替弁９０の双方が開弁し、開口部７８が全開しており、３種類の洗浄モードのうち大洗浄モードが実行可能となっている。
ちなみに、第１切替弁８８が閉弁して、第２切替弁９０が開弁して、開口部７８が第１切替弁８８の連通口８８ｂによって開放されている状態では、大洗浄モードよりも少ない洗浄水量である小洗浄モード（後述する図９参照）が実行可能となっている。
さらに、第１切替弁８８及び第２切替弁９０の双方が閉弁し、開口部７８が全開している状態では、小洗浄モードよりもさらに少ない洗浄水量であるエコ小洗浄モード（後述する図１０参照）が実行可能となっている。
【００４８】
つぎに、図３、図４及び図６を参照して、排水弁装置２８の係止／係止解除機構部８２の構造について具体的に説明する。
図６は、図４に示す本発明の第１実施形態による洗浄水タンク装置の排水弁装置のＡ部拡大断面図である。
まず、図３、図４及び図６に示すように、係止／係止解除機構部８２は、支持部材９６を備えており、この支持部材９６は、制御筒４６の内側壁４６ｂの外側且つ上端の取付穴４６ｉに挿入されて固定される固定部９６ｂを備えている。
また、図３、図４及び図６に示すように、係止／係止解除機構部８２は、支持部材９６の一対のヒンジ軸部９６ｂに回動可能に取り付けられたカム部材９８を備えている。
図６に示すように、カム部材９８は、ヒンジ軸部９６ｂに挿入して取り付けられる取付穴部９８ａと、この取付穴部９８ａから斜め下方に延びるように形成される第１アーム部９８ｂと、取付穴部９８ａからほぼ水平方向に延びるように形成される第２アーム部９８ｃとを備えている。
【００４９】
さらに、図３、図４及び図６に示すように、係止／係止解除機構部８２は、このカム部材９８の第１アーム部９８ｂと支持部材９６との間に介在させて設けられた圧縮コイルばね１００を備えている。この圧縮コイルばね１００は、カム部材９８をヒンジ軸部９６ｂの軸回りに第１回動方向Ｒ１（図６参照）に回動させるように付勢力Ｆ１で付勢している。
すなわち、「第１回動方向Ｒ１」は、フロート７４を制御筒４６に係止するときのカム部材９８の回動方向を意味しており、本実施形態以外の後述する第２〜第６実施形態においても同様とする。
【００５０】
また、図３に示すように、フロート７４は、概ね円筒状であるが、その一部が中央部から径方向外側に向かって切り欠いた形状になっており、その周方向に所定間隔の隙間７４ａが形成されている。
さらに、フロート７４の隙間７４ａを形成して互いに対向する周方向端部７４ｂ，７４ｃには、これらの両者７４ｂ，７４ｃの一部同士を架橋してフロート７４の外周面よりも外側に突出する突出部７４ｄが形成されている。
図６に示すように、排水弁体６８が排水口２２ａを閉止している状態のときのフロート７４においては、カム部材９８の第１アーム部９８ｂの先端部（下端部）に突出部７４ｄが当接することにより、フロート７４が上昇することができないようになっている。これにより、フロート７４は、係止／係止解除機構部８２を介して、制御筒４６に係止されるようになっている。
【００５１】
図６に示すように、オーバーフロー管７０においての周面から外側に突出して軸方向に延びるように形成された突出部である第２リブ７０ｄの上端部７０ｅは、排水時に、オーバーフロー管７０を引き上げると、係止／係止解除機構部８２のカム部材９８の第２アーム部９８ｃの先端部に当接するようになっている。
そして、さらに、オーバーフロー管７０を引き上げると、カム部材９８は、圧縮コイルばね１００の付勢力Ｆ１に抗して、第１回動方向Ｒ１とは反対方向の第２回動方向Ｒ２に回動し、フロート７４の突出部７４ｄとカム部材９８の第１アーム部９８ｂの先端部との係止が解除されて、カム部材９８の全体がフロート７４の突出部７４ｄよりも内側に位置するようになり、フロート７４は、カム部材９８を通過して上昇することができるようになっている。
すなわち、「第２回動方向Ｒ２」は、フロート７４と制御筒４６との係止を解除させるときのカム部材９８の回動方向を意味しており、本実施形態以外の後述する第２〜第６実施形態においても同様とする。
【００５２】
つぎに、図１〜１１を参照して、本発明の第１実施形態による洗浄水タンク装置の動作（作用）について説明する。
まず、図１〜図８Ｂにより、本発明の第１実施形態による洗浄水タンク装置により実行される３種類の洗浄モードのうち、大洗浄モードを説明する。
ここで、図７Ａは、本発明の第１実施形態による洗浄水タンク装置の排水弁装置の正面中央断面図であり、大洗浄モードで排水弁体が最高開弁位置まで上昇した状態を示し、図７Ｂは、図７Ａに示す本発明の第１実施形態による洗浄水タンク装置の排水弁装置のＡ部拡大断面図であり、図７Ｃは、本発明の第１実施形態による洗浄水タンク装置の排水弁装置を示す正面断面図であり、図７Ａに示す正面中央断面よりも正面側に位置する断面で見た断面図である。
なお、以下で説明する大洗浄、小洗浄、エコ小洗浄の各洗浄モードは、いずれも、上述した貯水部４６ｄの小穴４６ｅが開かれている状態（スライド部材８４で小穴４６ｅを閉じない状態）での例である。
【００５３】
まず、図２に示すように、大洗浄モードの開始時、使用者が操作レバー５０を手前側に９０度回転させ、或いは、大洗浄のボタンが押されモータ５２が作動（駆動）されると、第１の引き上げ部材５８のみが揺動され、第１玉鎖６２を介してオーバーフロー管７０及び排水弁体６８が、図４及び図６に示す閉弁位置から図７Ａに示す距離Ｈ１だけ上方の最高開弁位置まで引き上げられ、これにより、排水口２２ａが開いて、排水が開始される。
このとき、第２の引き上げ部材６０（図２参照）は揺動されないので、筒体７２の開口部７８を開閉する各切替弁８８，９０は、図７Ａに示すように、開口部７８から離間した位置のままである。よって、筒体７２の開口部７８は全開であり、その開口断面積も変わらない。
【００５４】
また、図７Ａ及び図７Ｂに示すように、オーバーフロー管７０及び排水弁体６８が距離Ｈ１だけ引き上げられている際に、オーバーフロー管７０の第２リブ７０ｄが係止／係止解除機構部８２のカム部材９８の第２アーム部９８ｃの先端部に当接したままの状態が維持される。
このとき、カム部材９８は、圧縮コイルばね１００の付勢力Ｆ１に抗して、第１回動方向Ｒ１とは反対方向の第２回動方向Ｒ２に所定角度回動した状態となり、フロート７４の突出部７４ｄとカム部材９８の第１アーム部９８ｂの先端部との係止が解除された状態となっているため、フロート７４は、オーバーフロー管７０が引き上げられた後、速やかに接続部材７６の下端に当接するまで上昇する。また、フロート７４が上昇しているときは、フロート７４の突出部７４ｄは、カム部材９８に接触することなく、カム部材９８の外側を通過することができる。
さらに、図７Ｃに示すように、フロート７４が上昇した状態では、開閉弁８６の弁部８６ａが貯水部４６ｄ内の洗浄水により下方に押圧されて、小穴４６ｆを閉鎖している。
【００５５】
つぎに、図８Ａは、本発明の第１実施形態による洗浄水タンク装置の排水弁装置の正面中央断面図であり、大洗浄モードで排水弁体が最高開弁位置まで上昇した状態から閉弁する途中の状態を示し、図８Ｂは、図８Ａに示す本発明の第１実施形態による洗浄水タンク装置の排水弁装置のＡ部拡大断面図である。
図７Ａ〜図７Ｃに示すように、オーバーフロー管７０及び排水弁体６８が最高位置まで引き上げられて、フロート７４が最高位置まで上昇した後、図８Ａ及び図８Ｂに示すように、貯水タンク２２内の洗浄水の全体の水位ＷＬが時間と共に低下し、オーバーフロー管７０及び排水弁体６８が下降する。これにより、接続部材７６の下端に当接しているフロート７４についても、オーバーフロー管７０及び排水弁体６８と共に下降する。
また、図８Ａに示すように、貯水タンク２２内の水位ＷＬは、制御筒４６の上縁部よりも下降すると、制御筒４６の貯水部４６ｄ内の水位ｗｌよりも低い位置となる。
さらに、図８Ｂに示すように、フロート７４が下降している状態では、オーバーフロー管７０の第２リブ７０ｄの側面が係止／係止解除機構部８２のカム部材９８の第２アーム部９８ｃの先端部に当接したままの状態となるため、カム部材９８が圧縮コイルばね１００の付勢力Ｆ１に抗して、第２回動方向Ｒ２に所定角度回動した状態で維持され、フロート７４の突出部７４ｄとカム部材９８の第１アーム部９８ｂの先端部との係止が解除された状態が維持されている。よって、フロート７４の突出部７４ｄは、カム部材９８の外側を通過することができる。
また、図８Ｂに示すように、フロート７４の突出部７４ｄがカム部材９８の外側を通過する際に、貯水タンク２２内の水位ＷＬがさらに下降することによりオーバーフロー管７０がさらに下降し、第２リブ７０ｄの上端部７０ｅがカム部材９８の第２アーム部９８ｃよりも下方となった際、カム部材９８は、一時的に第１回動方向Ｒ１に回動しようとするが、フロート７４が下降することにより、このフロート７４の突出部７４ｄの内側がカム部材９８の第１アーム部９８ｂに当接して、この第１アーム部９８ｂを押し下げることになる。これにより、その後、図６に示すように、フロート７４は、その突出部７４ｄがカム部材９８の第１アーム部９８ｂの下方側に位置するように下降することができる。
【００５６】
そして、図８Ａに示すように、貯水タンク２２内の洗浄水の全体の水位（ＷＬ）が時間と共にさらに低下し、水位が筒体７２の上縁部７２ａ付近まで低下した時点で、筒体７２内の洗浄水が急激に排水口２２ａから排出され、最終的には、図４〜図６に示すように、排水弁体６８が弁座６６に接触して排水口２２ａを閉止した状態になり、貯水タンク２２内の水位が最低水位ＤＷＬとなって、排水が終了する。
【００５７】
また、貯水タンク２２及び筒体７２内の水位ＷＬは、制御筒４６の小穴ｅ付近を下降して通過した際に、制御筒４６の貯水部４６ｄ内の水位ｗｌは、貯水タンク２２及び筒体７２内の水位ＷＬよりも高い位置にあるが、制御筒４６の貯水部４６ｄ内の洗浄水が開放されている小穴４６ｅから流出することにより制御筒４６の貯水部４６ｄ内の水位ｗｌが低下するため、フロート７４についても、制御筒４６の貯水部４６ｄ内の水位ｗｌの低下と共に低下する。
さらに、図５に示すように、フロート７４が低下することにより、フロート７４の下端が制御筒４６の底面（中間水平壁４６）付近まで下降した際、フロート７４の下端が開閉弁８６の力点部８６ｃに接触して下方に押圧することにより、開閉弁８６の弁部８６ａが小穴４６ｆを開放する方向に支点部８６ｂを中心に回動する。これにより、小穴４６ｆが開放され、制御筒４６の貯水部４６ｄ内の洗浄水が排出される。そして、制御筒４６の貯水部４６ｄ内の洗浄水が空の状態となり、フロート７４は最も下降した状態となり、制御筒４６の貯水部４６ｄ内の洗浄水によるフロート７４の浮力も生じなくなる。
また、図６に示すように、排水弁体６８が排水口２２ａを閉止した状態で且つフロート７４が最も下降した状態では、フロート７４の突出部７４ｄがカム部材９８の第１アーム９８ｂの先端部よりも下方に位置することにより、カム部材９８は、圧縮コイルばね１００の付勢力Ｆ１により、ヒンジ軸部９６ｂの軸回りに第１回動方向Ｒ１に回動した状態となる。これにより、フロート７４の突出部７４ｄがカム部材９８の第１アーム９８ｂの先端部に当接すると共に、カム部材９８の第２アーム９８ｃがオーバーフロー管７０の第２リブ７０ｄの上端部７０ｅよりも上方に位置しているため、排水弁体６８が閉止状態でフロート７４が上昇しようとしたとしても、オーバーフロー管７０の第２リブ７０ｄが上昇しない限り、フロート７４が係止／係止解除機構部８２のカム部材９８を介して制御筒４６に係止されることになる。したがって、フロート７４を上昇させる浮力が閉止状態の排水弁体６８の閉止力に作用しなくなる。
【００５８】
つぎに、図３及び図９により、本発明の第１実施形態による洗浄水タンク装置により実行される小洗浄モードを説明する。
図９は、本発明の第１実施形態による洗浄水タンク装置の小洗浄モードにおける排水途中の状態を示す概略断面図である。
まず、図９に示すように、小洗浄モードの開始時、使用者が操作レバー５０を奥側に９０度回転させ、或いは、小洗浄のボタン５４が押され、モータ５２が作動されると、第１の引き上げ部材５８及び第２の引き上げ部材６０の両方が揺動して、第１玉鎖６２を介してオーバーフロー管７０及び排水弁体６８が引き上げられて、排水口２２ａが開いて、排水が開始される。
同時に、第２玉鎖６４を介して第２切替弁９０が引き上げられる。この第２切替弁９０の内方側には第１切替弁８８が設けられているので、第１切替弁８８も第２切替弁９０により引き上げられ、開口部７８を閉じる位置まで引き上げられる。
【００５９】
このような引き上げの完了の直後に操作レバー５０は初期位置に戻されて、第１の引き上げ部材５８及び第２の引き上げ部材６０は初期位置に戻され、或いは、モータ５２の作動により引き上げが行われたときは、引き上げの完了の直後に第１の引き上げ部材５８及び第２の引き上げ部材６０が初期位置に戻るようにモータ５２が作動される。
【００６０】
そして、第２の引き上げ部材６０が初期位置に戻されると、第２切替弁９０は、その自重により、図３及び図９に示すような初期の位置に戻る。また、錘９４により、より確実に、このような初期の位置に戻るようになっている。
一方、図３及び図９に示すように、第１切替弁８８は、開口部７８を閉じる位置に保持されたままである。すなわち、排水開始後、筒体７２の内方を流れる洗浄水の流速が、筒体７２の外方を流れる洗浄水の流速より相対的に大きくなる。これは、筒体７２の内方の流路面積が、第１切替弁８８の連通口８８ｂの流路面積より大きいためである。そして、筒体７２の内方を流れる洗浄水の流速が、筒体７２の外方を流れる洗浄水の流速より相対的に大きくなると、第１切替弁８８の内外で差圧が生じ、第１切替弁８８には、開口部７８を閉じる力が加わるため、第１切替弁８８は、閉じた状態に保持される。
【００６１】
このように、第１切替弁８８は、開口部７８を閉じた状態に保持され、これにより、筒体７２の開口部７８の開口断面積は、第１切替弁８８の連通口８８ｂの開口断面積まで減少される。したがって、開口部７８を介して、筒体７２の外方から内方へ流入する洗浄水の流量は、その開口断面積の減少分、少なくなる。
【００６２】
つぎに、図９に示すように、貯水タンク２２内の洗浄水の全体の水位（ＷＬ）が時間と共に低下し、その後、上述した大洗浄モードと同様に、水位が筒体７２の上縁部７２ａ付近まで低下した時点で、筒体７２内の洗浄水が急激に排水口２２ａから排出されるようになる。
【００６３】
また、これに伴い、貯水部４６ｄ内の洗浄水も、上述した大洗浄モードと同様に、小穴４６ｅ、４６ｆから流出し、貯水部４６ｄ内の水位の低下に伴ってフロート７４も下降し、貯水部４６ｄ内の洗浄水の水位がフロート７４に浮力を与えない状態で、排水弁体６８が排水口２２ａを閉じ、排水が終了する。
なお、図９に示すように、小洗浄モードの場合の排水終了後の状態の貯水タンク２２内の最低水位ＤＷＬは、大洗浄モードの場合の最低水位よりも高い水位となる。
【００６４】
つぎに、図３及び図１０により、本発明の第１実施形態による洗浄水タンク装置により実行されるエコ小洗浄モードを説明する。
図１０は、本発明の第１実施形態による洗浄水タンク装置のエコ小洗浄モードにおける排水途中の状態を示す概略断面図である。
まず、図１０に示すように、エコ小洗浄モードの開始時、使用者がエコ小洗浄のボタン５４が押され、モータ５２が作動されると、第１の引き上げ部材５８及び第２の引き上げ部材６０の両方が揺動して、第１玉鎖６２を介してオーバーフロー管７０及び排水弁体６８が引き上げられて、排水口２２ａが開いて、排水が開始される。
同時に、第２玉鎖６４を介して第２切替弁９０が引き上げられる。この第２切替弁９０の内方側には第１切替弁８８が設けられているので、第１切替弁８８も第２切替弁９０により引き上げられ、第１切替弁８８及び第２切替弁９０は、開口部７８に所定距離近接される。
【００６５】
一方、第１切替弁８８は、筒体７２の内方を流れる洗浄水の流速による負圧により、開口部７８側に引きつけられ、その後、上述したように、筒体７２の内外の流速差により生じる差圧により、開口部７８を閉じる位置に保持される。
図３及び図１０に示すように、第２切替弁９０が保持される角度位置は、第１切替弁８８が開口部７８を閉じる位置に保持されているとき、第２切替弁９０に形成された突出部９０ｂが、第１切替弁８８の連通口８８ｂに挿入されているように設定されている。
【００６６】
このように、エコ小洗浄モードでは、第１切替弁８８は、開口部７８を閉じた状態に保持され、第２切替弁９０は、第２の引き上げ部材６０、玉鎖６２などを介してモータ５２により所定位置に保持される。また、この所定位置では、第２切替弁９０に形成された突出部９０ｂが、第１切替弁８８の連通口８８ｂに挿入されているので、第１切替弁８８の連通口８８ｂの開口断面積を減少させる。したがって、筒体７２の開口部７８の開口断面積は、小洗浄モードのときよりさらに減少し、これにより、開口部７８を介して、筒体７２の外方から内方へ流入する洗浄水の流量は、小洗浄モードのときより、さらに少なくなる。
【００６７】
つぎに、図１０に示すように、上述した大洗浄時及び小洗浄時と同様に、水位が筒体７２の上縁部７２ａ付近まで低下した時点で、筒体７２内の洗浄水が急激に排水口２２ａから排出されるようになる。
また、これに伴い、貯水部４６ｄ内の洗浄水も、小穴４６ｅ、４６ｆから流出する。ここで、このエコ洗浄モードでは、オーバーフロー管７０及び排水弁体６８が保持（ホールド）されているので、大洗浄モード及び小洗浄モードと異なり、貯水部４６ｄ内の水位の低下に伴ってフロート７４のみが下降する。
そして、所定時間経過後、オーバーフロー管７０及び排水弁体６８の保持及び第２切替弁９０の保持を解除し、オーバーフロー管７０及び排水弁体６８を下降させて、排水弁体６８が排水口２２ａを閉じ、排水が終了する。
なお、図１０に示すように、エコ小洗浄モードの場合の排水終了後の状態の貯水タンク２２内の最低水位ＤＷＬは、小洗浄モードの場合の最低水位よりも高い水位となる。
【００６８】
つぎに、図１１は、本発明の第１実施形態による洗浄水タンク装置における貯水タンク内の水位と排水弁体のシール線圧と関係の実験結果を定性的に示す線図である。
ここで、図１１の縦軸は、貯水タンク内の水位ＷＬ［ｍｍ］を示し、図１１の横軸は、排水弁体のシール線圧ｐ［Ｎ／ｍｍ］を示している。
なお、図１１における「シール線圧」とは、本実施形態における洗浄水タンク装置１８の排水弁体６８が弁座６６に接触して排水口２２ａを閉止している状態において、排水弁体６８全体に作用している貯水タンク２２内の洗浄水の水圧や排水弁体の自重等による排水弁体６８の閉止力［Ｎ］を、排水弁体６８が弁座６６に線接触してシールしている部分の全周長さ［ｍｍ］で除したものである。
また、図１１では、本実施形態の特性を実線で示し、比較例として、係止／係止解除機構部を備えておらず、フロートの浮力が常時排水弁体の閉止力に影響する形態の特性を破線で示している。
さらに、図１１では、満水水位が異なる２種類の貯水タンクを用いており、水頭圧が低い貯水タンクの満水水位をＷＬ０で示し、また、水頭圧が高い貯水タンクの満水水位をＷＬ０’で示している。
【００６９】
まず、図１１に示すように、貯水タンク内の水位ＷＬ１は、フロートの水没が開始するときの水位であり、このとき、本実施形態及び比較例共に、シール線圧ｐはｐ１となる。
つぎに、図１１に示すように、貯水タンク内の水位ＷＬ２は、フロート全体が水没したときの水位であり、このとき、本実施形態のシール線圧ｐ２は、比較例のシール線圧ｐ２’よりも大幅に大きくなっている。
また、比較例では、フロートの浮力が排水弁体の閉止力の低下に影響しているため、フロート全体が水没したときのシール線圧ｐ２’が、フロートの水没が開始するときのシール線圧ｐ１よりも低下している。
さらに、図１１に示すように、貯水タンク内の水位ＷＬが満水水位ＷＬ０（例えば、ＷＬ０＝１７３ｍｍ）のときにも、本実施形態のシール線圧ｐ３は、比較例のシール線圧ｐ３’よりも大幅に大きくなっている。また、この本実施形態のシール線圧ｐ３は、比較例における貯水タンク内の水位ＷＬが満水水位ＷＬ０’（例えば、ＷＬ０’＝２３８ｍｍ）のときのシール線圧に相当している。
これらの結果から、比較例では、係止／係止解除機構部を備えていないため、フロートの浮力が排水弁体の閉止力の低下に影響していることがわかる。
一方、本実施形態では、係止／係止解除機構部８２によりフロート７４の浮力が排水弁体６８の閉止力に影響しないため、排水弁体６８の閉止力の低下を防ぐことができることがわかった。
【００７０】
上述した本発明の第１実施形態による洗浄水タンク装置１８によれば、排水弁装置２８の係止／係止解除機構部８２により、排水弁体６８が排水口２２ａを閉止している状態でフロート７４の浮力が排水弁体６８に作用して排水弁体６８の閉止力を低下させないようにフロート７４を制御筒４６に係止することができ、排水弁体６８が開弁すると制御筒４６に対するフロート７４の係止を解除することができる。
したがって、例えば、貯水タンク２２の満水水位ＷＬ０の設定高さや排水終了時に最終的に得られる貯水タンク２２内の最低水位ＤＷＬの設定高さが比較的低く、洗浄水の水頭圧が比較的低い仕様の貯水タンクに適用した場合に、貯水タンク２２内の洗浄水の水位が低く、排水口２２ａを閉止している排水弁体６８に作用する閉止力が比較的小さい状態であっても、フロート７４の浮力が排水弁体６８に作用して排水弁体６８の閉止力を低下させることを効果的に防ぐことができる。
【００７１】
また、本実施形態による洗浄水タンク装置１８によれば、係止／係止解除機構部８２について、フロート７４が排水弁体６８に干渉しないように制御筒４６の一部に設けられていることにより、フロート７４が排水弁体６８に干渉することなく、係止／係止解除機構部８２がフロート７４を制御筒４６に効果的に係止したり、制御筒４６に対するフロート７４の係止を効果的に解除したりすることができる。
したがって、閉止状態の排水弁体６８にフロート７４の浮力が作用して排水弁体６８の閉止力が低下することをより効果的に防ぐことができる。
【００７２】
さらに、本実施形態による洗浄水タンク装置１８によれば、制御筒４６の貯水部４６ｄの底面を形成する中間水平壁４６ｃには、排水弁体６８が閉止状態であるときにフロート７４が制御筒４６の貯水部４６ｄの底面まで下降可能に制御筒４６内の洗浄水を排水するため排水手段として、中間水平壁４６ｃを貫くように形成された小穴４６ｆと、この小穴４６ｆを開閉する開閉弁８６が設けられている。
これにより、排水弁体６８が閉止状態であるときに、フロート７４が制御筒４６の貯水部４ｄの底面付近まで下降した際に、開閉弁８６が小穴４６ｆを開放し、制御筒４６の貯水部４６ｄ内の洗浄水を十分に排水することができ、制御筒４６の貯水部４６ｄ内の洗浄水によりフロート７４に浮力が生じることを防ぐことができる。
したがって、閉止状態の排水弁体６８にフロート７４の浮力が作用して排水弁体６８の閉止力が低下することをより効果的に防ぐことができる。
【００７３】
さらに、本実施形態による洗浄水タンク装置１８によれば、排水弁体６８が排水口２２ａを閉止している状態では、係止／係止解除機構部８２のカム部材９８が第１回動方向Ｒ１に回動してフロート７４を制御筒４６に係止することができる。
さらに、排水弁体６８が開弁すると係止／係止解除機構部８２のカム部材９８がオーバーフロー管７０の第２リブ７０ｄに係合することにより第１回動方向Ｒ１とは反対方向の第２回動方向Ｒ２に回動して制御筒４６とフロート７４との係止を解除することができ、その後、フロート７４及び排水弁体６８が貯水タンク２２内の水位の低下と共に下降して排水弁体６８が閉弁すると、係止／係止解除機構部８２のカム部材９８が第１回動方向Ｒ１に回動してフロート７４を再び制御筒４６に係止することができる。
したがって、排水弁体６８及びオーバーフロー管７０の上下動に応じて、オーバーフロー管７０の第２リブ７０ｄとカム部材９８との係合や係合解除を適宜行うことにより、制御筒とフロートとの係止や係止解除を適宜行うことができる。
よって、閉止状態の排水弁体６８にフロート７４の浮力が作用して排水弁体６８の閉止力が低下することをより効果的に防ぐことができる。
【００７４】
また、本実施形態による洗浄水タンク装置１８によれば、排水弁体６８が排水口２２ａを閉止している状態では、係止／係止解除機構部８２の付勢手段である圧縮コイルばね１００によりカム部材９８が第１回動方向Ｒ１に回動するように付勢され、フロート７４を制御筒４６に確実に係止することができる。
さらに、フロート７４及び排水弁体６８が貯水タンク２２内の水位の低下と共に下降して排水弁体６８が閉弁すると、係止／係止解除機構部８２のカム部材９８が第２回動方向Ｒ２に回動して制御筒４６とフロート７４との係止を解除している状態から圧縮コイルばね１００により第１回動方向Ｒ１に回動するように付勢され、フロート７４を再び制御筒４６に係止することができる。
したがって、閉止状態の排水弁体６８にフロート７４の浮力が作用して排水弁体６８の閉止力が低下することをより効果的に防ぐことができる。
【００７５】
なお、上述した本実施形態による洗浄水タンク装置１８の排水弁装置２８の係止／係止解除機構部８２においては、カム部材９８を付勢手段として圧縮コイルばね１００を採用した形態について説明したが、このような形態に限定されず、圧縮コイルばね１００以外の他の付勢手段を採用してもよい。例えば、他の付勢手段として、圧縮コイルばね１００の代わりに薄板ばねやねじりコイルばねを採用してもよい。また、付勢手段の代わりに、カム部材自体を可撓性の材料で形成したり、カム部材の重心位置を工夫したりすることによって、カム部材をフロートの位置や状況に応じて適宜回動させて、フロートと制御筒との係止や係止解除を適宜行うようにしてもよい。
また、上述した本実施形態による洗浄水タンク装置１８の排水弁装置２８では、排水弁体６８が、制御筒４６に対して上下方向に摺動可能な摺動部材であるオーバーフロー管７０の下端部の弁体保持部７０ａに設けられた形態について説明したが、このような形態に限られず、排水弁体６８が設けられる摺動部材として、オーバーフロー管７０の代わりに中実の棒部材を採用し、別途のオーバーフロー管を排水弁装置に隣接して設けてもよい。
【００７６】
つぎに、図１２Ａ〜図１５Ｂを参照して、本発明の第２実施形態による洗浄水タンク装置について説明する。
まず、図１２Ａは、本発明の第２実施形態による洗浄水タンク装置の排水弁装置の正面中央断面図であり、排水開始前又は排水終了後の排水弁体が排水口を閉止している状態を示し、図１２Ｂは、図１２Ａに示す本発明の第２実施形態による洗浄水タンク装置の排水弁装置のＡ部拡大断面図である。
つぎに、図１３Ａは、本発明の第２実施形態による洗浄水タンク装置の排水弁装置の正面中央断面図であり、大洗浄モードで排水弁体が最高開弁位置まで上昇した状態で且つ制御筒内のフロートが途中位置まで上昇した状態を示し、図１３Ｂは、図１３Ａに示す本発明の第２実施形態による洗浄水タンク装置の排水弁装置のＡ部拡大断面図である。
また、図１４Ａは、本発明の第２実施形態による洗浄水タンク装置の排水弁装置の正面中央断面図であり、大洗浄モードで排水弁体が最高開弁位置まで上昇した状態で且つ制御筒内のフロートが最高位置まで上昇した状態を示し、図１４Ｂは、図１４Ａに示す本発明の第２実施形態による洗浄水タンク装置の排水弁装置のＡ部拡大断面図である。
さらに、図１５Ａは、本発明の第２実施形態による洗浄水タンク装置の排水弁装置の正面中央断面図であり、大洗浄モードで排水弁体が最高開弁位置まで上昇した状態から閉弁する途中の状態を示し、図１５Ｂは、図１５Ａに示す本発明の第２実施形態による洗浄水タンク装置の排水弁装置のＡ部拡大断面図である。
ここで、図１２Ａ〜図１５Ｂに示す本発明の第２実施形態による洗浄水タンク装置２１８において、上述した本発明の第１実施形態による洗浄水タンク装置１８の部分と同一部分については同一の符号を付し、これらの説明については省略する。
【００７７】
まず、図１２Ａ〜図１５Ｂに示すように、本発明の第２実施形態による洗浄水タンク装置２１８では、排水弁装置２２８の係止／係止解除機構部２８２の構造部分が、上述した本発明の第１実施形態による洗浄水タンク装置１８の排水弁装置２８の係止／係止解除機構部８２の構造部分と異なっている。
したがって、以下、本発明の第２実施形態による洗浄水タンク装置２１８については、排水弁装置２２８の係止／係止解除機構部２８２の異なる構造部分のみについて具体的に説明し、その他の部分については説明を省略する。
【００７８】
図１２Ａ及び図１２Ｂに示すように、本発明の第２実施形態による洗浄水タンク装置２１８の排水弁装置２２８の係止／係止解除機構部２８２は、フロート２７４が排水弁体６８に干渉しないようにフロート２７４の上方部分の一部に設けられており、排水弁体６８が排水口２２ａを閉止している状態において、フロート２７４の浮力が排水弁体６８の閉止力を低下させないようにフロート２７４を制御筒２４６に係止し、図１３Ａ〜図１５Ｂに示すように排水弁体６８が所定の開弁位置よりも上方に位置している状態で制御筒２４６に対するフロート２７４の係止を解除することができるようになっている。
【００７９】
より具体的に説明すると、図１２Ａ及び図１２Ｂに示すように、係止／係止解除機構部２８２は、フロート２７４の上方部分に形成されたヒンジ軸部２７４ａに回動可能に取り付けられたカム部材２９８を備えている。
図１２Ｂに示すように、カム部材２９８は、ヒンジ軸部２７４ａに挿入して取り付けられる取付穴部２９８ａと、この取付穴部２９８ａから鉛直方向下方に延びるように形成される第１アーム部２９８ｂと、取付穴部２９８ａからほぼ水平方向に延びるように形成されて第１アーム部２９８ｂに対してほぼ直交する第２アーム部２９８ｃとを備えている。
また、図１２Ａ及び図１２Ｂに示すように、カム部材２９８の第１アーム部２９８ｂの先端部は、排水弁体６８が排水口２２ａを閉止している状態で、制御筒２４６の係止穴２４６ｊに挿入されて係止されるフック部２９８ｄを備えている。このフック部２９８ｄが係止穴２４６ｊに係止された状態では、フロート２７４は、上昇することができず、係止／係止解除機構部２８２を介して、制御筒２４６に係止されるようになっている（図１２Ａ参照）。
さらに、図１２Ａ及び図１２Ｂに示すオーバーフロー管７０を第１玉鎖６２及び接続部材７６により引き上げると、オーバーフロー管７０の第２リブ７０ｄの上端部７０ｅがカム部材２９８の第２アーム部２９８ｃの下端に当接するようになっている。
【００８０】
つぎに、オーバーフロー管７０の第２リブ７０ｄの上端部７０ｅがカム部材２９８の第２アーム部２９８ｃの下端に当接した後、図１３Ａ及び図１３Ｂに示すように、さらにオーバーフロー管７０を引き上げて、排水弁体６８が、図１２Ａに示す閉弁位置から図１３Ａに示す距離Ｈ１だけ上方の最高開弁位置まで引き上げられると、第２アーム部２９８ｃがオーバーフロー管７０の第２リブ７０ｄによって押し上げられて、第２回動方向Ｒ２に回動するようになっている（図１３Ｂ参照）。これにより、カム部材２９８のフック部２９８ｄと制御筒２４６の係止穴２４６ｊとの係止が解除されて、フロート２７４が上昇することができるようになっている。
すなわち、「第２回動方向Ｒ２」は、フロート２７４と制御筒２４６との係止を解除させるときのカム部材２９８の回動方向を意味している。
【００８１】
つぎに、図１４Ａ及び図１４Ｂに示すように、オーバーフロー管７０及び排水弁体６８が最高開弁位置まで引き上げられた状態では、係止／係止解除機構部２８２のカム部材２９８のフック部２９８ｄと制御筒２４６の係止穴２４６ｊとの係止が解除されているため、フロート２７４は、貯水タンク２２内の水位ＷＬ及び制御筒２４６の貯水部２４６ｄ内の洗浄水の浮力により速やかに接続部材７６の下端に当接するまで上昇するようになっている。
このとき、カム部材２９８のフック部２９８ｄは、制御筒２４６の制御筒２４６の外側壁２４６ａの上縁部を通過した時点で、制御筒２４６の外側壁２４６ａと接触して状態から解放され、カム部材２９８が第２回動方向Ｒ２とは反対の第１回動方向Ｒ１（図１４Ｂ参照）に回動する。そして、カム部材２９８の第２アーム部２９８ｃは、フロート２７４の上端部付近に設けられたストッパ部２７４ｂに当接して停止した状態となり、第２アーム部２９８ｃの先端部は、オーバーフロー管７０の第２リブ７０ｄの上端部７０ｅよりも上方に位置している。
すなわち、「第１回動方向Ｒ１」は、フロート２７４を制御筒２４６に係止するときのカム部材２９８の回動方向を意味している。
【００８２】
つぎに、図１４Ａ及び図１４Ｂに示すように、オーバーフロー管７０及び排水弁体６８が最高位置まで引き上げられて、フロート２７４が最高位置まで上昇した後、図１５Ａ及び図１５Ｂに示すように、貯水タンク２２内の洗浄水の全体の水位（ＷＬ）が時間と共に低下し、オーバーフロー管７０及び排水弁体６８が下降する。これにより、接続部材７６の下端に当接しているフロート２７４についても、オーバーフロー管７０及び排水弁体６８と共に下降する。
また、図１５Ａに示すように、貯水タンク２２内の水位ＷＬは、制御筒２４６の上縁部よりも下降すると、制御筒２４６の貯水部２４６ｄ内の水位ｗｌよりも低い位置となる。
【００８３】
そして、図１５Ａ及び図１５Ｂに示すように、貯水タンク２２内の洗浄水の全体の水位（ＷＬ）が時間と共にさらに低下し、水位が筒体７２の上縁部７２ａ付近まで低下した時点で、筒体７２内の洗浄水が急激に排水口２２ａから排出され、最終的には、図１２Ａ及び図１２Ｂに示すように、排水弁体６８が弁座６６に接触して排水口２２ａを閉止した状態になり、貯水タンク２２内の水位が最低水位ＤＷＬとなって、排水が終了する。
【００８４】
ここで、図１５Ｂに示すように、フロート２７４が下降している状態では、カム部材２９８のフック部２９８ｄは、制御筒２４６の制御筒２４６の外側壁２４６ａの上縁部を通過した時点で、制御筒２４６の外側壁２４６ａの内面２４６ｋに接触する。
また、制御筒２４６の外側壁２４６ａの内側壁面における上縁付近は、上方から下方に向かって内方にわずかに窄まる湾曲面２４６ｋ（図１５Ｂ）を形成しているため、制御筒２４６の外側壁２４６ａの上縁部と係止穴２４６ｊとの間に位置するときのカム部材２９８のフック部２９８ｄは、フロート２７４が下降して、先端部が湾曲面２４６ｋに沿って接触しながら下降することにより、わずかに第２回動方向Ｒ２に回動する。そして、カム部材２９８のフック部２９８ｄは、制御筒２４６の係止穴２４６ｊに到達すると、カム部材２９８のフック部２９８ｄが係止穴２４６ｊに嵌り込むように、カム部材２９８が第１回動方向Ｒ１に反転し、再び図１２Ｂに示すように、フロート２７４が制御筒２４６に係止された状態となる。
【００８５】
さらに、図１２Ａに示すように、フロート２７４が低下することにより、フロート２７４の下端が制御筒２４６の底面（中間水平壁４６）付近まで下降した際、図５に示す第１実施形態と同様に、開閉弁８６により小穴４６ｆが開放され、制御筒２４６の貯水部２４６ｄ内の洗浄水が排出されるため、制御筒２４６の貯水部２４６ｄ内の洗浄水によるフロート２７４の浮力も生じなくなる。
また、図１２Ａ及び図１２Ｂに示すように、排水弁体６８が排水口２２ａを閉止した状態で且つフロート２７４が最も下降した状態では、カム部材２９８のフック部２９８ｄが制御筒４６の係止穴２４６ｊに係止されているため、フロート２７４は、上昇することができず、係止／係止解除機構部２８２を介して、制御筒２４６に係止される。したがって、フロート２７４を上昇させる浮力が閉止状態の排水弁体６８の閉止力に作用しなくなる。
【００８６】
上述した本発明の第２実施形態による洗浄水タンク装置２１８によれば、排水弁装置２２８の係止／係止解除機構部２８２により、排水弁体６８が排水口２２ａを閉止している状態でフロート２７４の浮力が排水弁体６８に作用して排水弁体６８の閉止力を低下させないようにフロート２７４を制御筒２４６に係止することができ、排水弁体６８が開弁すると制御筒２４６に対するフロート２７４の係止を解除することができる。
したがって、例えば、貯水タンク２２の満水水位ＷＬ０の設定高さや排水終了時に最終的に得られる貯水タンク２２内の最低水位ＤＷＬの設定高さが比較的低く、洗浄水の水頭圧が比較的低い仕様の貯水タンクに適用した場合に、貯水タンク２２内の洗浄水の水位が低く、排水口２２ａを閉止している排水弁体６８に作用する閉止力が比較的小さい状態であっても、フロート２７４の浮力が排水弁体６８に作用して排水弁体６８の閉止力を低下させることを効果的に防ぐことができる。
【００８７】
また、本実施形態による洗浄水タンク装置２１８によれば、係止／係止解除機構部２８２について、フロート２７４が排水弁体６８に干渉しないようにフロート２７４の一部に設けられていることにより、フロート２７４が排水弁体６８に干渉することなく、係止／係止解除機構部２８２がフロート２７４を制御筒２４６に効果的に係止したり、制御筒２４６に対するフロート２７４の係止を効果的に解除したりすることができる。
したがって、閉止状態の排水弁体６８にフロート２７４の浮力が作用して排水弁体６８の閉止力が低下することを効果的に防ぐことができる。
【００８８】
つぎに、図１６〜図２２を参照して、本発明の第３実施形態による洗浄水タンク装置について説明する。
まず、図１６は、本発明の第３実施形態による洗浄水タンク装置の排水弁装置の正面中央断面におけるオーバーフロー管の側方の部分断面図であり、排水開始前又は排水終了後の排水弁体が排水口を閉止しているときの係止／係止解除機構部の状態を示す。
つぎに、図１７は、本発明の第３実施形態による洗浄水タンク装置の排水弁装置の係止／係止解除機構部を斜め上方から見た斜視図であり、図１８は、図１７のＸＶＩＩＩ−ＸＶＩＩＩ線に沿った斜視断面図である。
また、図１９は、本発明の第３実施形態による洗浄水タンク装置の排水弁装置の正面中央断面におけるオーバーフロー管の側方の部分断面図であり、大洗浄モードで排水弁体が閉止している状態から引き上げられるときの係止／係止解除機構部の状態を示す。
さらに、図２０は、本発明の第３実施形態による洗浄水タンク装置の排水弁装置の正面中央断面におけるオーバーフロー管の側方の部分断面図であり、大洗浄モードで排水弁体及びフロートが最高位置まで上昇したときの係止／係止解除機構部の状態を示す。
また、図２１は、本発明の第３実施形態による洗浄水タンク装置の排水弁装置の正面中央断面におけるオーバーフロー管の側方の部分断面図であり、排水弁体が下降している閉弁途中の係止／係止解除機構部の状態を示す。
さらに、図２２は、本発明の第３実施形態による洗浄水タンク装置の排水弁装置の正面中央断面におけるオーバーフロー管の側方の部分断面図であり、排水弁体が閉弁したときの係止／係止解除機構部の状態を示す。
ここで、図１６〜図２２に示す本発明の第３実施形態による洗浄水タンク装置３１８において、上述した本発明の第１実施形態による洗浄水タンク装置１８の部分と同一部分については同一の符号を付し、これらの説明については省略する。
【００８９】
図１６〜図２２に示すように、本発明の第３実施形態による洗浄水タンク装置３１８では、排水弁装置３２８の係止／係止解除機構部３８２が、制御筒４６に取付部材３８４を介して設けられて同一の回動軸線Ａ１を中心に回動可能なカム部材として第１カム部材３８６及び第２カム部材３８８を備えている点で、上述した本発明の第１実施形態による洗浄水タンク装置１８の排水弁装置２８の係止／係止解除機構部８２の構造部分と異なっている。
また、図１６及び図１９〜図２２に示すように、本発明の第３実施形態による洗浄水タンク装置３１８では、オーバーフロー管３７０の弁体保持部７０ａと嵌合凹部７０ｂとの間における第１リブ７０ｃよりも上方の側面には、係止／係止解除機構部３８２の第１カム部材３８６と係合／係合解除可能な突起部３７０ｄが外側に突出して形成されており、この突起部３７０ｄが縦長のリブ形状ではない点で、上述した本発明の第１実施形態による洗浄水タンク装置１８の排水弁装置２８のオーバーフロー管７０の第２リブ７０ｄの構造とは異なっている。
したがって、以下、本発明の第３実施形態による洗浄水タンク装置３１８については、排水弁装置３２８の係止／係止解除機構部３８２の異なる構造部分のみについて具体的に説明し、その他の部分については説明を省略する。
【００９０】
まず、図１６〜図１９に示すように、係止／係止解除機構部３８２の第１カム部材３８６は、オーバーフロー管３７０の突起部３７０ｄに係合／係合解除可能な第１係合部３８６ａと、第２カム部材３８８に係合／係合解除可能である第２係合部３８６ｂとを備えている。
また、図１６〜図１９に示すように、係止／係止解除機構部３８２の第２カム部材３８８は、第１カム部材３８６の第２係合部３８６ｂに係合／係合解除可能である第３係合部３８８ａと、フロート７４に係止／係止解除可能である第４係合部３８８ｂとを備えている。
【００９１】
さらに、図１７及び図１８に示すように、係止／係止解除機構部３８２は、第１カム部材３８６及び第２カム部材３８８を互いに同一の回動軸線Ａ１を中心に回動可能に連結する付勢部材であるコイル状のねじりばね３９０を備えている。
ここで、図１８に示すように、これらの第１カム部材３８６、第２カム部材３８８、及びねじりばね３９０のそれぞれは、取付部材３８４に一体に形成された保持部３８４ａに同一の回動軸線Ａ１を中心に同心状に保持されている。
また、図１８に示すように、ねじりばね３９０は、第１カム部材３８６の第２係合部３８６ｂに当接して第２回動方向Ｒ２に付勢する第１アーム部３９０ａと、第２カム部材３８８の第３係合部３８８ａに当接して第１回動方向Ｒ１に付勢する第２アーム部３９０ｂとを備えている。
すなわち、「第１回動方向Ｒ１」は、フロート７４を制御筒４６に係止するときのカム部材３８６の回動方向を意味しており、「第２回動方向Ｒ２」は、フロート７４と制御筒４６との係止を解除させるときのカム部材３８６の回動方向を意味している。
さらに、図１８に示すように、ねじりばね３９０の第１アーム部３９０ａと第２アーム部３９０ｂとの周方向の間には、第１アーム部３９０ａによる第２回動方向Ｒ２の回動範囲及び第２アーム部３９０ｂによる第１回動方向Ｒ１の回動範囲をそれぞれ規制する回動規制部３８４ｂが取付部材３８４の保持部３８４ａの一部として設けられている。
【００９２】
また、これらのオーバーフロー管３７０の突起部３７０ｄ、第１カム部材３８６、第２カム部材３８８、及びねじりばね３９０は、制御筒４６に対するフロート７４の係止が解除されている状態で上下方向に摺動しているオーバーフロー管３７０の突起部３７０ｄと第１カム部材３８６の第１係合部３８６ａとの係合を解除して非接触状態を維持する手段（以下「非接触状態維持手段」）として機能するようになっている。
【００９３】
つぎに、図１６〜図１８に示すように、排水弁体６８が排水口２２ａを閉止している排水開始前の待機状態では、ねじりばね３９０により第１カム部材３８６が第２回動方向Ｒ２に付勢されると共に第２カム部材３８８が第２回動方向Ｒ２とは反対の第１回動方向Ｒ１に付勢されている。
また、第１カム部材３８６の第１係合部３８６ａは、オーバーフロー管３７０の突起部３７０ｄよりも上方に位置しており、両者３８６ａ，３７０ｄの係合が解除されると共に第１カム部材３８６の第２係合部３８６ｂと第２カム部材３８８の第３係合部３８８ａとが係合されている。これにより、係止／係止解除機構部３８２は、第２カム部材３８８の第４係合部３８８ｂとフロート７４の突出部７４ｄとが係止された第１状態Ｐ１にある。
【００９４】
つぎに、図１９に示すように、係止／係止解除機構部３８２の第１状態Ｐ１の後、オーバーフロー管３７０が引き上げられることにより上昇し、排水弁体６８が開弁した状態では、オーバーフロー管３７０の突起部３７０ｄが第１カム部材３８６の第１係合部３８６ａに下方側から係合することにより、第１カム部材３８６の第２係合部３８６ｂと第２カム部材３８８の第３係合部３８８ａとが連結した状態となり、第１カム部材３８６及び第２カム部材３８８が第２回動方向Ｒ２に連結して回動するようになっている。これにより、係止／係止解除機構部３８２は、第２カム部材３８８の第４係合部３８８ｂとフロート７４の突出部７４ｄとの係止が解除された第２状態Ｐ２にある。
【００９５】
つぎに、図２０に示すように、係止／係止解除機構部３８２の第２状態Ｐ２の後、さらに、オーバーフロー管３７０及びフロート７４が最高位置Ｈ１まで上昇した状態では、第１カム部材３８６及び第２カム部材３８８は、ねじりばね３９０の付勢力により復元されて、係止／係止解除機構部３８２は、第１状態Ｐ１（待機状態）と同一である第３状態Ｐ３にある。
【００９６】
つぎに、図２１に示すように、係止／係止解除機構部３８２の第３状態Ｐ３の後、フロート７４及び排水弁体６８が貯水タンク２２内の水位ＷＬの低下と共に下降して排水弁体６８が閉弁する前の状態では、オーバーフロー管３７０の突起部３７０ｄが第１カム部材３８６の第１係合部３８６ａに上方側から係合するようになっている。これにより、係止／係止解除機構部３８２は、第２カム部材３８８が静止した状態で第１カム部材３８６のみが、ねじりばね３９０の第１アーム部３９０ａからの付勢力に抗して、第２カム部材３８８に対して独立に第１回動方向Ｒ１に回動する第４状態Ｐ４にある。
【００９７】
つぎに、図２２に示すように、係止／係止解除機構部３８２の第４状態Ｐ４の後、貯水タンク２２内の水位ＷＬのさらなる低下によりフロート７４及び排水弁体６８がさらに下降することにより、オーバーフロー管３７０の突起部３７０ｄが第１カム部材３８６の第１係合部３８６ａを乗り越えて下側に移動して、排水弁体６８が排水口２２ａを閉止するようになっている。
このとき、図２２に示すように、オーバーフロー管３７０の突起部３７０ｄが第１カム部材３８６の第１係合部３８６ａの下側に移動したとき、第１カム部材３８６はねじりばね３９０の第１アーム部３９０ａの付勢力（復元力）により第２回動方向Ｒ２に回動し、係止／係止解除機構部３８２が第５状態Ｐ５にある。
さらに、係止／係止解除機構部３８２の第５状態Ｐ５では、制御筒４６内の貯水部４６ｄの水位ｗｌのさらなる低下によりフロート７４がさらに下降することにより、フロート７４の突出部７４ｄが第２カム部材３８８の第４係合部３８８ｂに係合して、第２カム部材３８８が第２回動方向Ｒ２に回動するようになっている。
また、図２２に示す係止／係止解除機構部３８２の第５状態Ｐ５の後、制御筒４６内の貯水部４６ｄの水位ｗｌのさらなる低下によりフロート７４がさらに下降することにより、フロート７４の突出部７４ｄが第２カム部材３８８の第４係合部３８８ｂよりも下側に移動すると、第２カム部材３８８がねじりばね３９０の第２アーム部３９０ｂの付勢力（復元力）により第１回動方向Ｒ１に回動するようになっている。これにより、係止／係止解除機構部３８２は、図１６に示す第１状態Ｐ１に復元されて、フロート７４が再び制御筒４６に係止されるようになっている。最終的には、排水弁体６８が弁座６６に接触して排水口２２ａを閉止した状態になり、貯水タンク２２内の水位が最低水位ＤＷＬとなって、排水が終了する。
【００９８】
要するに、非接触状態維持手段であるオーバーフロー管３７０の突起部３７０ｄ、第１カム部材３８６、第２カム部材３８８、及びねじりばね３９０は、図１９に示す係止／係止解除機構部３８２の第２状態Ｐ２の後から図２１に示す係止／係止解除機構部３８２の第４状態Ｐ４の前までの間に、オーバーフロー管３７０の突起部３７０ｄと第１カム部材３８６の第１係合部３８６ａとの係合を解除して非接触状態を維持するものである。
【００９９】
上述した本発明の第３実施形態による洗浄水タンク装置３１８によれば、非接触状態維持手段であるオーバーフロー管３７０の突起部３７０ｄ、第１カム部材３８６、第２カム部材３８８、及びねじりばね３９０により、図１９に示す係止／係止解除機構部３８２の第２状態Ｐ２の後から図２１に示す係止／係止解除機構部３８２の第４状態Ｐ４の前までの間に、オーバーフロー管３７０の突起部３７０ｄと第１カム部材３８６の第１係合部３８６ａとの係合を解除して非接触状態を維持することができるため、開弁時の制御筒４６とフロート７４との係止解除後から閉弁時の制御筒４６とフロート７４との再係止までの間、第１カム部材３８６の第１係合部３８６ａとオーバーフロー管３７０の突起部３７０ｄとが係合した状態を常時維持させておく必要がない。
したがって、第１カム部材３８６に対するオーバーフロー管３７０の上下方向の摺動抵抗を抑制することができる。特に、オーバーフロー管３７０及び排水弁体６８が下降している閉弁時には、第１カム部材３８６に対するオーバーフロー管３７０の上下方向の摺動抵抗により排水弁体６８が閉弁しきれないという不具合を抑制することができる。
【０１００】
また、本実施形態による洗浄水タンク装置３１８によれば、第１カム部材３８６及び第２カム部材３８８を互いに同一の回動軸線Ａ１を中心に回動可能に連結するねじりばね３９０を採用したことにより、簡易な構造によって、図１９に示す第２状態Ｐ２の後から図２１に示す第４状態Ｐ４の前までの間に、オーバーフロー管３７０の突起部３７０ｄと第１カム部材３８６の第１係合部３８６ａとの係合を解除して確実に非接触状態を維持することができる。
したがって、簡易な構造で第１カム部材３８６に対するオーバーフロー管３７０の上下方向の摺動抵抗を抑制することができる。特に、オーバーフロー管３７０及び排水弁体６８が下降している閉弁時には、排水弁体６８が閉弁しきれないという不具合を抑制することができる。
【０１０１】
つぎに、図２３〜図２６を参照して、本発明の第４実施形態による洗浄水タンク装置について説明する。
まず、図２３は、本発明の第４実施形態による洗浄水タンク装置の排水弁装置において、排水開始前又は排水終了後の排水弁体が排水口を閉止しているときの係止／係止解除機構部の状態を示す概略図である。
つぎに、図２４は、本発明の第４実施形態による洗浄水タンク装置の排水弁装置において、大洗浄モードで排水弁体が閉止している状態から引き上げられるときの係止／係止解除機構部の状態を示す概略図である。
また、図２５は、本発明の第４実施形態による洗浄水タンク装置の排水弁装置において、排水弁体及びフロートが最高位置まで上昇したときの係止／係止解除機構部の状態を示す概略図である。
さらに、図２６は、本発明の第４実施形態による洗浄水タンク装置の排水弁装置において、排水弁体が下降している閉弁途中の係止／係止解除機構部の状態を示す概略図である。
ここで、図２３〜図２６に示す本発明の第４実施形態による洗浄水タンク装置４１８において、上述した本発明の第１実施形態による洗浄水タンク装置１８の部分及び本発明の第３実施形態による洗浄水タンク装置３１８の部分と同一部分については同一の符号を付し、これらの説明については省略する。
【０１０２】
図２３〜図２６に示すように、本発明の第４実施形態による洗浄水タンク装置４１８では、排水弁装置４２８の係止／係止解除機構部４８２が、第１実施形態と同様に、支持部材９６の一対のヒンジ軸部９６ｂに回動可能に取り付けられたカム部材９８を備えている。
また、図２３〜図２６に示すように、カム部材９８の第１アーム部９８ｂと支持部材９６との間には、カム部材９８の第１アーム部９８ｂについてヒンジ軸部９６ｂを中心に第１回動方向Ｒ１に付勢する付勢部材（第１付勢部材）である圧縮コイルばね１００が介在して設けられている。
しかしながら、図２３〜図２６に示すように、本発明の第４実施形態による洗浄水タンク装置４１８では、係止／係止解除機構部４８２が、摺動部材であるオーバーフロー管４７０の側面の一部に設けられて回動軸線Ａ２を中心に所定の回動角度θの範囲内で回動可能な回動突起部である回動突起４８４と、この回動突起４８４を第１回動方向Ｒ１とは反対の第２回動方向Ｒ２に付勢する第２付勢部材であるねじりばね４８６とを備えている点で、上述した本発明の第１実施形態による洗浄水タンク装置１８の排水弁装置２８の係止／係止解除機構部８２及び本発明の第３実施形態による洗浄水タンク装置３１８の排水弁装置３２８の係止／係止解除機構部３８２のそれぞれの構造部分と異なっている。
したがって、以下、本発明の第４実施形態による洗浄水タンク装置４１８については、排水弁装置４２８の係止／係止解除機構部４８２の異なる構造部分のみについて具体的に説明し、その他の部分については説明を省略する。
【０１０３】
まず、図２３〜図２６に示すように、係止／係止解除機構部４８２のカム部材９８は、回動突起４８４に係合／係合解除可能な第１係合部である第２アーム部９８ｃと、フロート７４の突出部７４ｄに係止／係止解除可能である第２係合部である第１アーム部９８ｂとを備えている。
また、図２３〜図２６に示すように、回動突起４８４は、その近傍のオーバーフロー管４７０の側面に設けられた回動規制部４７０ａによって第２回動方向Ｒ２の回動範囲が規制されるようになっている。
ここで、図２３〜図２６に示すように、これらのカム部材９８、圧縮コイルばね１００、回動突起４８４、及びねじりばね４８６は、制御筒４６に対するフロート７４の係止が解除されている状態で上下方向に摺動しているオーバーフロー管４７０の回動突起４８４とカム部材９８の第２アーム部９８ｃとの係合を解除して非接触状態を維持する手段（非接触状態維持手段）として機能するようになっている。
【０１０４】
つぎに、図２３に示すように、排水弁体（図示せず）が排水口（図示せず）を閉止している排水開始前の待機状態では、圧縮コイルばね１００によりカム部材９８が第１回動方向Ｒ１に付勢されると共に、ねじりばね４８６により回動突起４８４が第２回動方向Ｒ２に付勢されている。
これにより、係止／係止解除機構部４８２は、カム部材９８の第１係合部であるアーム部９８ｃと回動突起４８４との係合が解除されると共に、カム部材９８の第２係合部であるアーム部９８ｂとフロート７４の突出部７４ｄとが係止されて、フロート７４が制御筒４６に対して係止された第１状態にある。
【０１０５】
つぎに、図２４に示すように、係止／係止解除機構部４８２の第１状態Ｐ１の後、オーバーフロー管４７０が引き上げられることにより上昇し、排水弁体６８が開弁した状態では、回動突起４８４がカム部材９８の第１係合部であるアーム部９８ｃに下方側から係合して、カム部材９８が第２回動方向Ｒ２に回動するようになっている。
これにより、係止／係止解除機構部４８２は、カム部材９８の第２係合部であるアーム部９８ｂとフロート７４の突出部７４ｄとの係止が解除された第２状態Ｐ２にある。
【０１０６】
つぎに、図２５に示すように、係止／係止解除機構部４８２の第２状態Ｐ２の後、さらに、オーバーフロー管４７０及びフロート７４が最高位置まで上昇した状態では、カム部材９８は圧縮コイルばね１００の付勢力により第１回動方向Ｒ１に回動して復元され、回動突起４８４は、ねじりばね４８６の付勢力により第２回動方向Ｒ２に回動して復元されるようになっている。これにより、係止／係止解除機構部４８２は、第１状態Ｐ１（待機状態）と同一である第３状態Ｐ３にある。
【０１０７】
つぎに、図２６に示すように、係止／係止解除機構部４８２の第３状態Ｐ３の後、フロート７４及び排水弁体（図示せず）が貯水タンク２２内の水位の低下と共に下降して排水弁体（図示せず）が閉弁する前の状態では、回動突起４８４がカム部材９８の第１係合部であるアーム部９８ｃに上方側から係合するようになっている。これにより、係止／係止解除機構部４８２は、回動突起４８４が第１回動方向Ｒ１に回動した第４状態Ｐ４にある。
【０１０８】
つぎに、図２６に示す係止／係止解除機構部４８２の第４状態Ｐ４の後、貯水タンク２２内の水位ＷＬのさらなる低下によりフロート７４及び排水弁体（図示せず）がさらに下降することにより、オーバーフロー管４７０の回動突起４８４がカム部材９８の第１係合部（アーム部９８ｃ）を乗り越えて下側に移動して、排水弁体（図示せず）が排水口（図示せず）を閉止するようになっている。
このとき、図２３及び図２６に示すように、オーバーフロー管４７０の回動突起４８４がカム部材９８の第１係合部（アーム部９８ｃ）の下側に移動したとき、回動突起４８４は、ねじりばね４８４の付勢力（復元力）により第２回動方向Ｒ２に回動し、係止／係止解除機構部４８２が第５状態Ｐ５にある。
さらに、係止／係止解除機構部４８２の第５状態Ｐ５では、制御筒４６内の貯水部４６ｄの水位ｗｌのさらなる低下によりフロート７４がさらに下降することにより、図２３に示すように、フロート７４の突出部７４ｄがカム部材９８の第２係合部（アーム部９８ｂ）に上方側から係合して、カム部材９８が第２回動方向Ｒ２に回動するようになっている。
その後、図２３に示すように、フロート７４の突出部７４ｄがカム部材９８の第２係合部（アーム部９８ｂ）よりも下側に移動すると、カム部材９８が圧縮コイルばね１００の付勢力により第１回動方向Ｒ１に回動するようになっている。これにより、係止／係止解除機構部４８２は、図２３に示す第１状態Ｐ１に復元されて、フロート７４が再び制御筒４６に係止されるようになっている。
【０１０９】
要するに、非接触状態維持手段であるカム部材９８、圧縮コイルばね１００、回動突起４８４、及びねじりばね４８６は、図２４に示す係止／係止解除機構部４８２の第２状態Ｐ２の後から図２６に示す係止／係止解除機構部４８２の第４状態Ｐ４の前までの間に、オーバーフロー管４７０の回動突起４８４とカム部材９８の第１係合部（アーム部９８ｃ）との係合を解除して互いの非接触状態を維持するものである。
【０１１０】
上述した本発明の第４実施形態による洗浄水タンク装置４１８によれば、非接触状態維持手段であるカム部材９８、圧縮コイルばね１００、回動突起４８４、及びねじりばね４８６により、図２４に示す係止／係止解除機構部４８２の第２状態Ｐ２の後から図２６に示す係止／係止解除機構部４８２の第４状態Ｐ４の前までの間に、オーバーフロー管４７０の回動突起４８４とカム部材９８の第１係合部（アーム部９８ｃ）との係合を解除して互いの非接触状態を維持することができるため、開弁時の制御筒４６とフロート７４との係止解除後から閉弁時の制御筒４６とフロート７４との再係止までの間、カム部材９８の第１係合部（アーム部９８ｃ）とオーバーフロー管４７０の回動突起４８４とが係合した状態を常時維持させておく必要がない。
したがって、カム部材９８に対するオーバーフロー管４７０の上下方向の摺動抵抗を抑制することができる。特に、オーバーフロー管４７０及び排水弁体６８が下降している閉弁時には、カム部材９８に対するオーバーフロー管４７０の上下方向の摺動抵抗により排水弁体６８が閉弁しきれないという不具合を抑制することができる。
【０１１１】
つぎに、図２７及び図２８を参照して、本発明の第５実施形態による洗浄水タンク装置について説明する。
図２７は、本発明の第５実施形態による洗浄水タンク装置の排水弁装置において、排水弁体が上昇又は下降している途中の係止／係止解除機構部の状態を示す概略断面図であり、図２８は、本発明の第５実施形態による洗浄水タンク装置の排水弁装置の係止／係止解除機構部を斜め上方から見た斜視図である。
ここで、図２７及び図２８に示す本発明の第５実施形態による洗浄水タンク装置５１８において、上述した本発明の第１実施形態による洗浄水タンク装置１８の部分と同一部分については同一の符号を付し、これらの説明については省略する。
【０１１２】
図２７及び図２８に示すように、本発明の第５実施形態による洗浄水タンク装置５１８では、排水弁装置５２８の係止／係止解除機構部５８２が、制御筒４６に取り付けられた取付部材５８４の一対のカム軸受部５８４ａに回動可能に設けられたカム部材５９８を備えており、このカム部材５９８のオーバーフロー管７０側の端部には、回転機構部５８６が設けられている点で、上述した本発明の第１実施形態による洗浄水タンク装置１８の排水弁装置２８の係止／係止解除機構部８２におけるカム部材９８と異なっている。
より具体的に説明すると、図２７及び図２８に示すように、係止／係止解除機構部５８２の回転機構部５８６は、排水弁体（図示せず）の閉弁途中で下降しているオーバーフロー管７０の第２リム７０ｄに係合可能な回転部材であるローラー５８８と、カム部材５９８のオーバーフロー管７０側の端部に設けられてローラー５８８を回転可能に支持するローラー支持部５９０とからなる。
また、ローラー５８８は、オーバーフロー管７０の第２リム７０ｄに接触した状態で、オーバーフロー管７０の第２リム７０ｄの上下方向の摺動方向と同一方向に回転可能となっており、オーバーフロー管７０の第２リム７０ｄの上下動に応じて、オーバーフロー管７０の第２リム７０ｄ上に沿って回転して摺動可能である。
これらにより、係止／係止解除機構部５８２の回転機構部５８６については、カム部材５９８とフロート７４の突出部７４ｄとの係合が解除されて、制御筒４６とフロート７４との係止が解除されている状態において、排水弁体（図示せず）の閉弁途中で下降しているオーバーフロー管７０の第２リム７０ｄとローラー５８８との互いの摺動抵抗を抑制する手段（以下「摺動抵抗抑制手段」）として機能するようになっている。
【０１１３】
上述した本発明の第５実施形態による洗浄水タンク装置５１８によれば、カム部材５９８が制御筒４６とフロートとの係止を解除している状態における排水弁体（図示せず）の閉弁途中で下降している際に、係止／係止解除機構部５８２の摺動抵抗抑制手段である回転機構部５８６のローラー５８８が、オーバーフロー管７０の第２リム７０ｄの摺動方向と同一方向に回転して、オーバーフロー管７０の第２リム７０ｄ上に沿って回転することにより、オーバーフロー管７０を滑らかに摺動させることができる。
したがって、排水弁体（図示せず）の閉弁途中で下降しているオーバーフロー管７０におけるカム部材５９８に対する摺動抵抗を抑制することができるため、閉弁時の排水弁体（図示せず）が閉弁しきれないという不具合を防ぐことができる。
【０１１４】
つぎに、図２９及び図３０を参照して、本発明の第６実施形態による洗浄水タンク装置について説明する。
図２９は、本発明の第６実施形態による洗浄水タンク装置の排水弁装置において、オーバーフロー管の突起部に対して接触状態となっている係止／係止解除機構部を部分的に拡大した部分正面概略図であり、図３０は、本発明の第６実施形態による洗浄水タンク装置の排水弁装置の係止／係止解除機構部を斜め上方から見た斜視図である。
ここで、図２９及び図３０に示す本発明の第６実施形態による洗浄水タンク装置６１８において、上述した本発明の第５実施形態による洗浄水タンク装置５１８の部分と同一部分については同一の符号を付し、これらの説明については省略する。
【０１１５】
図２９及び図３０に示すように、本発明の第６実施形態による洗浄水タンク装置６１８では、排水弁装置６２８の係止／係止解除機構部６８２の構造部分が、上述した本発明の第５実施形態による洗浄水タンク装置５１８の排水弁装置５２８の係止／係止解除機構部５８２の構造部分と異なっているため、以下、係止／係止解除機構部６８２の異なる構造部分のみについて具体的に説明し、その他の部分については説明を省略する。
図２９及び図３０に示すように、本発明の第６実施形態による洗浄水タンク装置６１８の排水弁装置６２８の係止／係止解除機構部６８２においては、制御筒４６に取り付けられた取付部材６８４の一対のヒンジ軸部６８４ａに回動可能に取り付けられたカム部材６９８を備えている。
このカム部材６９８は、カム本体部６９８ａを備えている。このカム本体部６９８ａの両側には、オーバーフロー管７０の第２リブ７０ｄの両側を挟み込むように一対のアーム部６９８ｂ，６９８ｂが形成されており、各アーム部６９８ｂ，６９８ｂの各先端部付近には、取付部材６８４の一対のヒンジ軸部６８４ａに回動可能に連結されるヒンジ部であるヒンジ穴６９８ｃ，６９８ｃが形成されている。
また、カム本体部６９８ａの一対のアーム部６９８ｂ，６９８ｂ同士の間には、オーバーフロー管７０に向かって突出して排水弁体（図示せず）の閉弁途中のオーバーフロー管７０の第２リブ７０ｄに係合可能な第１係合部６９８ｄが形成されている。
さらに、カム本体部６９８ａの下端には、フロート７４の突出部７４ｄに係止／係止解除可能な第２係合部６９８ｅが設けられている。
【０１１６】
そして、カム部材６９８の第２係合部６９８ｅとフロート７４の突出部７４ｄとの係止が解除されて、カム部材６９８による制御筒４６とフロート７４との係止が解除されている状態では、係止／係止解除機構部６８２は、排水弁体（図示せず）の閉弁途中で下降しているときのカム部材６９８の第１係合部６９８ｄに対するオーバーフロー管７０の第２リブ７０ｄの摺動抵抗を抑制する手段（摺動抵抗抑制手段）を備えている。この摺動抵抗抑制手段としては、図２９に示すように、カム部材６９８の第１係合部６９８ｄとオーバーフロー管７０の第２リブ７０ｄとの接触位置Ｃ１について、カム部材６９８のヒンジ穴６９８ｃ，６９８ｃ及びヒンジ軸部６８４ａの中心位置Ｃ２よりもオーバーフロー管７０の中心軸線Ａ３に対して、図２９に示す正面視で距離ｄだけ遠位側に位置決めされている。
【０１１７】
上述した本発明の第６実施形態による洗浄水タンク装置６１８によれば、図２９に示すように、排水弁体（図示せず）の閉弁途中でオーバーフロー管７０の第２リブ７０ｄがカム部材６９８の第１係合部６９８ｄに係合して下方に摺動しているときには、カム部材６９８の第１係合部６９８ｄとオーバーフロー管７０の第２リブ７０ｄとの間に動摩擦が発生しているため、カム部材６９８の第１係合部６９８ｄには、下方に摺動するオーバーフロー管７０の第２リブ７０ｄから下向きの力Ｆ２が作用している。
このとき、カム部材６９８の第１係合部６９８ｄとオーバーフロー管７０の第２リブ７０ｄとの接触位置Ｃ１が、カム部材６９８のヒンジ穴６９８ｃ，６９８ｃ及びヒンジ軸部６８４ａの中心位置Ｃ２よりもオーバーフロー管７０の中心軸線Ａ３に対してオーバーフロー管７０の遠位側に位置しているため、カム部材６９８には、その第１係合部６９８ｄがオーバーフロー管７０の第２リブ７０ｄから離間する方向の回転力が作用する。
この結果、カム部材６９８は、その第１係合部６９８ｄがオーバーフロー管７０の第２リブ７０ｄから離間する方向、すなわち、ヒンジ穴６９８ｃ及びヒンジ軸部６８４ａの中心回りに第２回動方向Ｒ２に回動するようになっている。
なお、このとき、カム部材６９８が第２回動方向Ｒ２に回動したことによって、カム部材６９８の第２係合部６９８ｅが圧縮コイルばね１００を圧縮し、カム部材６９８には、圧縮コイルばね１００の付勢力Ｆ３も作用しているが、このカム部材６９８を付勢する付勢力Ｆ３は、カム部材６９８の第１係合部６９８ｄに係合するオーバーフロー管７０の第２リブ７０ｄの上下方向の摺動の妨げにならない程度となっている。
したがって、排水弁体（図示せず）の閉弁途中で下降しているオーバーフロー管７０の第２リブ７０ｄにおけるカム部材６９８の第１係合部６９８ｄに対する摺動抵抗を抑制することができ、閉弁時の排水弁体（図示せず）が閉弁しきれないという不具合を防ぐことができる。
【符号の説明】
【０１１８】
１      水洗大便器
２      便器本体
４      ボウル部
６      導水路
８      トラップ管路
８ａ    トラップ管路の入口
８ｂ    上昇路
８ｃ    下降路
１０      リム
１２      第１吐水口
１４      溜水部
１６      第２吐水口
１８      本発明の第１実施形態による洗浄水タンク装置
２０      外装タンク
２２      貯水タンク
２２ａ    排水口
２４      蓋体
２４ａ    手洗い鉢
２４ｂ    吐水口（流入口）
２６      給水装置
２８      排水弁装置（排水弁装置部）
３０      操作装置
３２      給水管
３４      給水装置用フロート
３６      吐水管
３８      レバー
４０      給水バルブ
４２      手洗い給水管
４４      手洗いカラン
４６      制御筒
４６ａ    外側壁
４６ｂ    内側壁
４６ｃ    中間水平壁
４６ｄ    貯水部
４６ｅ    小穴
４６ｆ    小穴（貫通穴部）
４６ｇ    開閉弁保持部
４６ｈ    流入口
４６ｉ    支持部材取付用穴
４８      導水部材
５０      操作レバー
５２      モータ
５４      操作ボタン
５６      回転伝達部材
５８      第１の引き上げ部材
６０      第２の引き上げ部材
６２      第１玉鎖
６４      第２玉鎖
６６      弁座
６８      排水弁体
７０      オーバーフロー管（排水弁装置部の摺動部材）
７０ａ    弁体保持部
７０ｂ    嵌合凹部
７０ｃ    第１リブ
７０ｄ    第２リブ（突出部）
７０ｅ    第２リブの上端部
７１      排水口形成部材
７２      筒体
７２ａ    筒体の上縁部
７２ｂ    筒体の一側面
７２ｃ    軸
７４      フロート
７４ａ    隙間
７４ｂ    周方向端部
７４ｃ    周方向端部
７４ｄ    突出部
７６      接続部材
７８      開口部
８０      切替弁
８２      係止／係止解除機構部
８４      スライド部材
８６      開閉弁
８６ａ    弁部
８６ｂ    支点部
８６ｃ    力点部
８８      第１切替弁
８８ａ    受部
８８ｂ    連通口
９０      第２切替弁
９０ａ    孔部
９０ｂ    突出部
９２      錘
９４      錘
９６      支持部材（係止／係止解除機構部）
９６ａ    固定部
９６ｂ    ヒンジ軸部
９８      カム部材（係止／係止解除機構部、非接触状態維持手段）
９８ａ    取付穴部
９８ｂ    第１アーム部（第２係合部）
９８ｃ    第２アーム部（第１係合部）
１００      圧縮コイルばね（係止／係止解除機構部、付勢部材、第１付勢部材、非接触状態維持手段）
２１８      本発明の第２実施形態による洗浄水タンク装置
２２８      排水弁装置（排水弁装置部）
２４６      制御筒
２４６ａ    外側壁
２４６ｃ    中間水平壁
２４６ｄ    貯水部
２４６ｊ    係止穴
２４６ｋ    外側壁の内側壁面の湾曲面
２７４      フロート
２７４ａ    ヒンジ軸部
２７４ｂ    ストッパ部
２８２      係止／係止解除機構部
２９８      カム部材
２９８ａ    取付穴部
２９８ｂ    第１アーム部
２９８ｃ    第２アーム部
２９８ｄ    フック部
３１８      本発明の第３実施形態による洗浄水タンク装置
３２８      排水弁装置（排水弁装置部）
３７０      オーバーフロー管（摺動部材）
３７０ｄ    突起部（摺動部材の突起部、非接触状態維持手段）
３８２      係止／係止解除機構部
３８４      取付部材
３８４ａ    保持部
３８４ｂ    回動規制部
３８６      第１カム部材（カム部材、非接触状態維持手段）
３８６ａ    第１係合部
３８６ｂ    第２係合部
３８８      第２カム部材（カム部材、非接触状態維持手段）
３８８ａ    第３係合部
３８８ｂ    第４係合部
３９０      ねじりばね（付勢部材、非接触状態維持手段）
３９０ａ    第１アーム部
３９０ｂ    第２アーム部
４１８      本発明の第４実施形態による洗浄水タンク装置
４２８      排水弁装置（排水弁装置部）
４７０      オーバーフロー管（摺動部材）
４７０ａ    回動規制部
４８２      係止／係止解除機構部
４８４      回動突起（回動突起部、非接触状態維持手段）
４８６      ねじりばね（第２付勢部材、非接触状態維持手段）
５１８      本発明の第５実施形態による洗浄水タンク装置
５２８      排水弁装置（排水弁装置部）
５８２      係止／係止解除機構部
５８４      取付部材
５８４ａ    カム軸受部
５８６      回転機構部
５８８      ローラー（回転部材）
５９０      ローラー支持部
５９８      カム部材
６１８      本発明の第６実施形態による洗浄水タンク装置
６２８      排水弁装置（排水弁装置部）
６８２      係止／係止解除機構部
６８４      取付部材
６８４ａ    ヒンジ軸部
６９８      カム部材
６９８ａ    カム本体部
６９８ｂ    アーム部
６９８ｃ    ヒンジ穴（ヒンジ部）
６９８ｄ    第１係合部
６９８ｅ    第２係合部
Ａ１    回動軸線
Ａ２    回動軸線
Ａ３    オーバーフロー管の中心軸線（摺動部材の中心軸線）
Ｃ１    カム部材の第１係合部とオーバーフロー管の第２リブとの接触位置
Ｃ２    カム部材のヒンジ穴及び取付部材のヒンジ軸部の中心位置
ＤＷＬ  貯水タンク内の最低水位
Ｆ１    付勢力
Ｆ２    力
Ｆ３    付勢力
Ｈ１    距離
Ｐ１    第１状態
Ｐ２    第２状態
Ｐ３    第３状態
Ｐ４    第４状態
Ｒ１    カム部材の回動方向（第１回動方向）
Ｒ２    カム部材の回動方向（第２回動方向）
ＷＬ    貯水タンク内の水位
ＷＬ０  貯水タンク内の満水水位
ＷＬ１  貯水タンク内の水位
ＷＬ２  貯水タンク内の水位
ｗｌ    制御筒の貯水部内の水位
θ      回動角度
【図１】
2017044058.tif 000003
【図２】
2017044058.tif 000004
【図３】
2017044058.tif 000005
【図４】
2017044058.tif 000006
【図５】
2017044058.tif 000007
【図６】
2017044058.tif 000008
【図７Ａ】
2017044058.tif 000009
【図７Ｂ】
2017044058.tif 000010
【図７Ｃ】
2017044058.tif 000011
【図８Ａ】
2017044058.tif 000012
【図８Ｂ】
2017044058.tif 000013
【図９】
2017044058.tif 000014
【図１０】
2017044058.tif 000015
【図１１】
2017044058.tif 000016
【図１２Ａ】
2017044058.tif 000017
【図１２Ｂ】
2017044058.tif 000018
【図１３Ａ】
2017044058.tif 000019
【図１３Ｂ】
2017044058.tif 000020
【図１４Ａ】
2017044058.tif 000021
【図１４Ｂ】
2017044058.tif 000022
【図１５Ａ】
2017044058.tif 000023
【図１５Ｂ】
2017044058.tif 000024
【図１６】
2017044058.tif 000025
【図１７】
2017044058.tif 000026
【図１８】
2017044058.tif 000027
【図１９】
2017044058.tif 000028
【図２０】
2017044058.tif 000029
【図２１】
2017044058.tif 000030
【図２２】
2017044058.tif 000031
【図２３】
2017044058.tif 000032
【図２４】
2017044058.tif 000033
【図２５】
2017044058.tif 000034
【図２６】
2017044058.tif 000035
【図２７】
2017044058.tif 000036
【図２８】
2017044058.tif 000037
【図２９】
2017044058.tif 000038
【図３０】
2017044058.tif 000039